(57)【要約】  本発明は、無線通信サブシステムおよび無線周波識別（ＲＦＩＤ）通信サブシステム上での通信をスケジューリングするための方法であって、無線通信サブシステムの１つまたは複数の活動周期を決定するステップと、１つまたは複数の決定された活動周期に基づいて１つまたは複数の非活動周期を導出するステップと、１つまたは複数の非活動周期と、無線周波識別（ＲＦＩＤ）通信サブシステムの動作を同期化するステップと、無線通信サブシステムおよび無線周波識別（ＲＦＩＤ）通信サブシステムの実質的に同時の通信動作を有効化するため１つまたは複数の導出された非活動周期従って無線周波識別（ＲＦＩＤ）通信サブシステムの動作をトリガーするステップと、を備える方法である。
2009510870.tif 000002
【特許請求の範囲】
【請求項１】
無線通信サブシステムおよび無線周波識別（ＲＦＩＤ）通信サブシステム上での通信をスケジューリングするための方法であって、
前記無線通信サブシステムの１つまたは複数の活動周期を決定するステップと、
決定された前記１つまたは複数の活動周期に基づいて１つまたは複数の非活動周期を導出するステップと、
前記１つまたは複数の非活動周期と、前記無線周波識別（ＲＦＩＤ）通信サブシステムの動作を同期化するステップと、
前記無線通信サブシステムおよび前記無線周波識別（ＲＦＩＤ）通信サブシステムの実質的に同時の通信動作を有効化するため、導出された前記１つまたは複数の非活動周期に従って前記無線周波識別（ＲＦＩＤ）通信サブシステムの動作をトリガーするステップと、
を備える方法。
【請求項２】
前記無線通信サブシステムの動作状態を得るステップであって、動作状態が少なくともアイドル動作と能動動作状態とを備えるステップと、
前記動作状態に基づいて前記無線通信サブシステムの１つまたは複数の活動周期を決定するステップと、
を備える請求項１に記載の方法。
【請求項３】
前記無線通信サブシステムがアイドル動作状態で動作する請求項２に記載の方法であって、
前記無線通信サブシステムからページング動作に関するタイミング情報および信号測定に関するタイミング情報を得るステップと、
得られた前記タイミング情報に基づいて周期長を含め活動周期を決定するステップと、
を備える、方法。
【請求項４】
前記無線通信サブシステムが能動動作状態で動作する請求項２に記載の方法であって、
ＴＤＭＡベースの無線通信サブシステムの場合には、現在アップリンクおよび／またはダウンリンク通信および測定動作に割当てられているタイプスロットに従ってスロットタイミングについてのタイミング情報を得るステップ、そして、
ＣＤＭＡベースの無線通信サブシステムの場合には、非連続的通信モードに従って活動周期についてのタイミング情報を得るステップ、
を備える方法。
【請求項５】
前記無線通信サブシステムがＴＤＭＡベースの無線通信サブシステムである請求項４に記載の方法であって、
該当する場合および／または必要に応じて、フレーム構造内部に１つまたは複数の割当てされていないタイムスロットを含むアップリングおよび／またはダウンリンク通信のためにタイムスロット割当てを要求するステップ、
を備える方法。
【請求項６】
前記無線通信サブシステムがＷＣＤＭＡベースの無線通信サブシステムである請求項４に記載の方法であって、
該当する場合および／または必要に応じて、圧縮フレーム通信モードを要求するステップと、
および
圧縮フレーム通信モードに従って伝送ギャップおよびその長さについてのタイミング情報を得るステップと、
を備える方法。
【請求項７】
前記無線通信サブシステムがｃｄｍａ２０００ベースの無線通信サブシステムである請求項４に記載の方法であって、
該当する場合および／または必要に応じて、不連続伝送（ＤＴＸ）モードを要求するステップと、
逆方向リンクおよび順方向リンク内で不連続伝送（ＤＴＸ）についてのタイミング情報を得るステップと、
を備える方法。
【請求項８】
前記無線周波識別（ＲＦＩＤ）通信サブシステムの立上り持続時間（△I）および／または立下り持続時間（△III）に従って前記無線周波識別（ＲＦＩＤ）通信サブシステムの動作をトリガーするステップ、
を備える請求項１〜７のいずれか一項に記載の方法。
【請求項９】
前記無線周波識別（ＲＦＩＤ）通信サブシステムの１つまたは複数の通信関連パラメータおよび／またはアプリケーション関連パラメータを得る段階ステップと、
得られた前記通信関連パラメータおよび／または前記アプリケーション関連パラメータに従って、前記無線周波識別（ＲＦＩＤ）通信サブシステムの動作に必要とされる通信周期を決定するステップと、
１つまたは複数の導出された非活動周期に前記無線周波識別（ＲＦＩＤ）通信サブシステムの動作に必要とされる通信周期を適合させるべく、前記無線周波識別（ＲＦＩＤ）通信サブシステムの１つまたは複数の前記通信関連パラメータおよび／または前記アプリケーション関連パラメータを調整するステップと、
を備える請求項１〜８のいずれか一項に記載の方法。
【請求項１０】
前記無線周波識別（ＲＦＩＤ）通信サブシステムの通信関連パラメータは、
搬送波感知周期（ＴLSB）と、
ダブルサイドバンド振幅偏移変調、シングルサイドバンド振幅偏移変調および位相反転振幅偏移変調を含む変調タイプと、
データ−０記号の基準時間間隔（Ｔari）と、
データ−１基号の相対基準時間間隔（ｘ）と、
ＲＦパルス幅（ＰＷ）と、
搬送波周波数と、
スロット計数パラメータ（Ｑ）と、
ＲＦエンベロープ上昇時間（Ｔr）と、
ＲＦエンベロープ下降時間（Ｔf）と、
整定時間（Ｔs）と、
無線周波識別（ＲＦＩＤ）コマンド伝送から無線周波識別（ＲＦＩＤ）トランスポンダ応答までの時間（Ｔ1）と、
無線周波識別（ＲＦＩＤ）トランスポンダ応答から無線周波識別（ＲＦＩＤ）コマンド伝送までの時間（Ｔ2）と、
無線周波識別（ＲＦＩＤ）トランスポンダ応答を見逃した時点での持ち時間を表わす時間（Ｔ3）と、
連続する無線周波識別（ＲＦＩＤ）コマンド伝送間の最小時間（Ｔ4）を含めたパラメータと、のうちの１つまたは複数のものを備える請求項９に記載の方法。
【請求項１１】
前記無線周波識別（ＲＦＩＤ）通信サブシステムのアプリケーション関連パラメータは、
センサアクセスの最大数と、
センサ読取り時間（Ｔread）と、
センサ書込み時間（Ｔwrite）と、
を含めたパラメータのうちの１つまたは複数のものを備える請求項９に記載の方法。
【請求項１２】
前記無線通信サブシステムが現在使用している周波数帯域を決定するステップを備え、
前記無線通信サブシステムの周波数帯域が前記無線周波識別（ＲＦＩＤ）通信サブシステムによって使用される周波数帯域に非常に近いことから干渉を予想される場合には、
干渉を予想する必要のない周波数帯域への前記無線通信サブシステムの周波数帯域ハンドオーバーを要求するステップと、
前記無線通信サブシステムおよび前記無線周波識別（ＲＦＩＤ）通信サブシステムの同時通信動作を有効化するステップと、
を備える請求項１〜１１のいずれか一項に記載の方法。
【請求項１３】
周波数帯域ハンドオーバーが、同じプロトコルを用いたもう１つの周波数帯域での前記無線通信サブシステムの動作を有効化する請求項１１に記載の方法。
【請求項１４】
周波数帯域ハンドオーバーがプロトコルハンドオーバーを備える請求項１１に記載の方法。
【請求項１５】
前記無線周波識別（ＲＦＩＤ）通信サブシステムのＲＦ信号電力レベルを低下させるステップと、
干渉レベルを決定するステップと、
前記干渉レベルが閾値未満である場合に、前記無線通信サブシステムおよび前記無線周波識別（ＲＦＩＤ）通信サブシステムの同時通信動作を有効化するステップと、
を備える請求項１〜１４のいずれか一項に記載の方法。
【請求項１６】
前記無線周波識別（ＲＦＩＤ）通信サブシステムは、超高周波数帯域、特に８６０ＭＨｚ〜９６０ＭＨｚの周波数範囲で動作可能である請求項１〜１５のいずれか一項に記載の方法。
【請求項１７】
前記無線通信サブシステムは、ＴＤＭＡセルラー無線通信サブシステムおよびＣＤＭＡセルラー通信サブシステムを含む群のうちの少なくとも１つと共に動作可能である請求項１〜１６のいずれか一項に記載の方法。
【請求項１８】
前記無線通信サブシステムは、ＧＳＭセルラー通信サブシステム、ＧＳＭ／ＧＰＲＳセルラー通信サブシステム、ＧＳＭ／ＥＤＧＥセルラー通信サブシステム、ＷＣＤＭＡセルラー通信サブシステムおよびｃｄｍａ２０００セルラー通信サブシステムを含む群のうちの少なくとも１つと共に動作可能である請求項１６に記載の方法。
【請求項１９】
プロセッサベースのデバイス、端末デバイス、ネットワークデバイス、携帯式端末、民生用電子デバイスまたは無線通信有効化端末上で動作している場合の、請求項１〜１３のいずれか一項に記載の動作を実施するための機械可読媒体上に記憶されたプログラムコードセクションを備えるコンピュータプログラムプロダクト。
【請求項２０】
無線通信サブシステムおよび無線周波識別（ＲＦＩＤ）通信サブシステム上での通信をスケジューリングするように配置されたスケジューリングモジュールであって、
前記スケジューリングモジュールは前記無線通信サブシステムおよび前記無線周波識別（ＲＦＩＤ）通信サブシステムと共に動作可能であり、
前記スケジューリングモジュールは、前記無線通信サブシステムの１つまたは複数の活動周期を決定し、決定された前記１つまたは複数の活動周期に基づいて１つまたは複数の非活動周期を導出するように配置され、
前記スケジューリングモジュールは、前記１つまたは複数の非活動周期と同期化され、
前記無線通信サブシステムおよび前記無線周波識別（ＲＦＩＤ）通信サブシステムの実質的に同時の通信動作を有効化するという目的で導出された前記１つまたは複数の非活動周期に従って前記無線周波識別（ＲＦＩＤ）通信サブシステムの動作をトリガーするべくトリガー信号が生成されるスケジューリングモジュール。
【請求項２１】
少なくともアイドル動作状態および能動動作状態で動作可能である前記無線通信サブシステムの動作状態を得るように配置され、
前記動作状態に応じて前記無線通信サブシステムの１つまたは複数の活動周期を決定するように設定される請求項２０に記載のスケジューリングモジュール。
【請求項２２】
前記無線通信サブシステムがアイドル動作状態で動作し、
前記スケジューリングモジュールは、ページング動作に関するタイミング情報および信号測定に関するタイミング情報を前記無線通信サブシステムから得るように配置されており、
前記スケジューリングモジュールは、得られた前記タイミング情報に基づいて周期長を含む活動周期を決定するように設定されている請求項２１に記載のスケジューリングモジュール。
【請求項２３】
無線通信サブシステムが能動動作状態で動作し、
ＴＤＭＡベースの無線通信サブシステムの場合には、現在アップリンクおよび／またはダウンリンク通信および測定動作に割当てられているタイプスロットに従ってスロットタイミングについてのタイミング情報を得るように配置され、
ＣＤＭＡベースの無線通信サブシステムの場合には、非連続的通信モードに従って活動周期についてのタイミング情報を得るように配置される請求項２１に記載のスケジューリングモジュール。
【請求項２４】
前記無線周波識別（ＲＦＩＤ）通信サブシステムの立上り持続時間（△I）および／または立下り持続時間（△III）に従ってトリガー信号が生成される請求項２０〜２３のいずれか一項に記載の方法。
【請求項２５】
前記無線周波識別（ＲＦＩＤ）通信サブシステムの１つまたは複数の通信関連パラメータおよび／またはアプリケーション関連パラメータを得、かつ得られた前記通信関連パラメータおよび／またはアプリケーション関連パラメータに従って、前記無線周波識別（ＲＦＩＤ）通信サブシステムの動作に必要とされる通信周期を決定するように配置され、
導出された１つまたは複数の非活動周期に前記無線周波識別（ＲＦＩＤ）通信サブシステムの動作に必要とされる通信周期を適合させるべく、前記無線周波識別（ＲＦＩＤ）通信サブシステムの前記１つまたは複数の通信関連パラメータおよび／またはアプリケーション関連パラメータを調整するように設定されている請求項２０〜２４のいずれか一項に記載のスケジューリングモジュール。
【請求項２６】
前記無線周波識別（ＲＦＩＤ）通信サブシステムの通信関連パラメータが、
搬送波感知周期（ＴLSB）と、
ダブルサイドバンド振幅偏移変調、シングルサイドバンド振幅偏移変調および位相反転振幅偏移変調を含む変調タイプと、
データ−０記号の基準時間間隔（Ｔari）と、
データ−１基号の相対基準時間間隔（ｘ）と、
ＲＦパルス幅（ＰＷ）と、
搬送波周波数と、
スロット計数パラメータ（Ｑ）と、
ＲＦエンベロープ上昇時間（Ｔr）と、
ＲＦエンベロープ下降時間（Ｔf）と、
整定時間（Ｔs）と、
無線周波識別（ＲＦＩＤ）コマンド伝送から無線周波識別（ＲＦＩＤ）トランスポンダ応答までの時間（Ｔ1）と、
無線周波識別（ＲＦＩＤ）トランスポンダ応答から無線周波識別（ＲＦＩＤ）コマンド伝送までの時間（Ｔ2）と、
無線周波識別（ＲＦＩＤ）トランスポンダ応答を見逃した時点での持ち時間を表わす時間（Ｔ3）と、
連続する無線周波識別（ＲＦＩＤ）コマンド伝送間の最小時間（Ｔ4）と、
を含むパラメータのうちの１つまたは複数のものを備える請求項２５に記載のスケジューリングモジュール。
【請求項２７】
前記無線周波識別（ＲＦＩＤ）通信サブシステムのアプリケーション関連パラメータが、
センサアクセスの最大数と、
センサ読取り時間（Ｔread）と、
センサ書込み時間（Ｔwrite）と、
を含むパラメータのうちの１つまたは複数のものを備える請求項２５に記載のスケジューリングモジュール。
【請求項２８】
前記スケジューリングモジュールは、前記無線通信サブシステムが現在使用している周波数帯域を決定するように配置されており、
前記無線通信サブシステムの周波数帯域が前記無線周波識別（ＲＦＩＤ）通信サブシステムによって使用される周波数帯域に非常に近いことから干渉を予想せざるを得ない場合に、前記スケジューリングモジュールは干渉を予想する必要のない周波数帯域への無線通信サブシステムの周波数帯域ハンドオーバーを要求するように設定されており、
前記無線通信サブシステムおよび前記無線周波識別（ＲＦＩＤ）通信サブシステムの同時通信動作を周波数帯域ハンドオーバーが有効化する請求項２０〜２６のいずれか一項に記載のスケジューリングモジュール。
【請求項２９】
前記スケジューリングモジュールは、前記無線周波識別（ＲＦＩＤ）通信サブシステムのＲＦ信号電力レベルを低下させ、かつ干渉レベルを決定し、かくして前記干渉レベルが閾値未満である場合に、前記無線通信サブシステムおよび前記無線周波識別（ＲＦＩＤ）通信サブシステムの同時通信動作が有効化されるように設定されている請求項２０〜２８のいずれか一項に記載のスケジューリングモジュール。
【請求項３０】
その無線通信サブシステムおよび無線周波識別（ＲＦＩＤ）通信サブシステム上でのスケジューリングされた通信のために有効化される端末デバイスであって、
前記無線通信サブシステムおよび前記無線周波識別（ＲＦＩＤ）通信サブシステムと共に動作可能なスケジューリングモジュールを備える端末デバイスにおいて、
前記スケジューリングモジュールは、前記無線通信サブシステムの１つまたは複数の活動周期を決定し、決定された前記１つまたは複数の活動周期に基づいて１つまたは複数の非活動周期を導出するように配置され、
前記スケジューリングモジュールは、前記１つまたは複数の非活動周期と同期化され、
前記無線通信サブシステムおよび前記無線周波識別（ＲＦＩＤ）通信サブシステムの実質的に同時の通信動作を有効化するべく導出された前記１つまたは複数の非活動周期に従って前記無線周波識別（ＲＦＩＤ）通信サブシステムの動作をトリガーするべく前記スケジューリングモジュールによってトリガー信号が生成される、
端末デバイス。
【請求項３１】
前記スケジューリングモジュールは請求項２０〜２９に記載のスケジューリングモジュールである請求項３０に記載の端末デバイス。
【請求項３２】
前記無線通信サブシステムおよび前記無線周波識別（ＲＦＩＤ）通信サブシステムは共通のアンテナで動作可能であり、前記共通のアンテナの高周波数特性は前記無線通信サブシステムおよび前記無線周波識別（ＲＦＩＤ）通信サブシステムの動作周波数に適合されている請求項３０または３１に記載の端末デバイス。
【請求項３３】
前記端末デバイスにおいて実行可能なアプリケーションからの信号伝達の時点でおよび／またはユーザ入力端に由来する入力信号の受信時点で、前記トリガー信号が生成される請求項３０〜３２のいずれか一項に記載の端末デバイス。
【請求項３４】
多重周波数帯域および／または多重システムセルラー通信の能力をもつセルラー端末デバイスである請求項３０〜３３のいずれか一項に記載の端末デバイス。
【請求項３５】
前記無線通信サブシステムは、ＴＤＭＡセルラー無線通信サブシステムおよびＣＤＭＡセルラー通信サブシステムを含む群のうちの少なくとも１つと共に動作可能である請求項３４に記載の端末デバイス。
【請求項３６】
前記無線通信サブシステムは、ＧＳＭセルラー通信サブシステム、ＧＳＭ／ＧＰＲＳセルラー通信サブシステム、ＧＳＭ／ＥＤＧＥセルラー通信サブシステム、ＷＣＤＭＡセルラー通信サブシステム、ＵＭＴＳセルラー通信サブシステムおよびｃｄｍａ２０００セルラー通信サブシステムを含む群のうちの少なくとも１つと共に動作可能である請求項３５に記載の端末デバイス。
【請求項３７】
前記無線通信サブシステムは無線ネットワークインタフェースサブシステムであり、前記無線ネットワークインタフェースサブシステムは、ＩＥＥＥ８０２．ｘｘ無線ネットワーク通信技術、ブルートゥース無線通信技術および超広帯域無線ネットワーク通信技術を含む群のうちの少なくとも１つと共に動作可能である請求項３０〜３６のいずれか一項に記載の端末デバイス。
【請求項３８】
セルラー通信サブシステムおよび無線周波識別（ＲＦＩＤ）通信サブシステム上でのスケジューリングされた通信を有効化するシステムであって、
前記セルラー通信サブシステムおよび前記無線周波識別（ＲＦＩＤ）通信サブシステムと共に動作可能であるスケジューリングモジュールを備えるシステムにおいて、
前記スケジューリングモジュールは、前記セルラー通信サブシステムの１つまたは複数の活動周期を決定し、決定された前記１つまたは複数の活動周期に基づいて１つまたは複数の非活動周期を導出するように配置され、
前記スケジューリングモジュールは、前記１つまたは複数の非活動周期と同期化され、
前記セルラー通信サブシステムおよび前記無線周波識別（ＲＦＩＤ）通信サブシステムの実質的に同時の通信動作を有効化する目的で導出された前記１つまたは複数の非活動周期に従って前記無線周波識別（ＲＦＩＤ）通信サブシステムの動作をトリガーするべくトリガー信号が前記スケジューリングモジュールによって生成される、
システム。
【請求項３９】
前記スケジューリングモジュールは請求項２０〜２９に記載のスケジューリングモジュールである請求項３８に記載のシステム。
【請求項４０】
端末デバイスが請求項３０〜３７に記載の端末デバイスである、請求項３８または３９に記載のシステム。
【請求項４１】
前記無線通信サブシステムおよび前記無線周波識別（ＲＦＩＤ）通信サブシステムは共通のアンテナで動作可能であり、前記共通のアンテナの高周波数特性は前記無線通信サブシステムおよび前記無線周波識別（ＲＦＩＤ）通信サブシステムの動作周波数に適合されている請求項３８〜４０のいずれか一項に記載のシステム。
【請求項４２】
前記無線周波識別（ＲＦＩＤ）通信サブシステムは少なくとも超高周波数帯域（ＵＨＦ）、特に８６０ＭＨｚ〜９６０ＭＨｚの周波数範囲で動作可能である請求項３８〜４１のいずれか一項に記載のシステム。
【請求項４３】
前記無線周波識別（ＲＦＩＤ）通信サブシステムはＥＰＣ国際基準で動作可能である請求項４２に記載のシステム。
【請求項４４】
前記無線周波識別（ＲＦＩＤ）通信サブシステムはＩＳＭ周波数帯域、特に２．４ＧＨｚのＩＳＭ周波数帯域で動作可能である請求項３８〜４３のいずれか一項に記載のシステム。
【発明の詳細な説明】
【技術分野】
【０００１】
本発明は、短距離通信システムに関する。特に、本発明は、複数のセルラー通信端末における無線周波識別（ＲＦＩＤ）リーダインタフェースの擬似同時動作に関する。特に、本発明は、セルラー通信との関係におけるリーダインタフェースの時間および周波数整合型動作に関する。
【背景技術】
【０００２】
無線周波識別（ＲＦＩＤ）技術は基本的に局所的通信技術、より特定的には電磁および／または静電結合技術が関与する局所的通信技術の分野に関する。電磁および／または静電結合は、例えば、主として無線周波識別（ＲＦＩＤ）タグとも呼ばれる無線周波識別（ＲＦＩＤ）トランスポンダおよび単純さを期して無線周波識別（ＲＦＩＤ）リーダとも呼ばれる高周波トランスポンダ用の無線周波識別（ＲＦＩＤ）リーダインタフェースを含む無線周波識別（ＲＦＩＤ）技術を用いて、電磁スペクトルの高周波（ＲＦ）部分の中で実現される。
【発明の開示】
【発明が解決しようとする課題】
【０００３】
近い将来、増々数多くの異なる無線技術が携帯端末に統合されることであろう。異なるアプリケーションレンジが拡大されるにつれて、それぞれ、アプリケーション環境および使用事例に特定的に適合された異なるデータレート、レンジ、ロバスト性および性能をもつ無線アクセス方法を提供することの必要性および必要条件が促進されることになる。多重無線シナリオの結果として、多重無線有効化携帯端末の相互運用性の問題が、開発における１つの課題となるであろう。
【０００４】
無線周波識別（ＲＦＩＤ）技術は、端末統合の中に最近出現した技術であり、無線周波識別（ＲＦＩＤ）通信は、例えばデバイスの対合、セキュリティキーの交換または無線周波識別（ＲＦＩＤ）通信有効化端末で無線周波識別（ＲＦＩＤ）タグの備わった品目に触れることによる製品情報の獲得といったような新しい使用パラダイムを可能にする。標準的には、民生用アプリケーション内の無線周波識別（ＲＦＩＤ）リーダインタフェースと無線周波識別（ＲＦＩＤ）タグの間の動作レンジは、わずか数センチメートルにすぎないとみなされている。
【０００５】
現在すでに、携帯電話に無線周波識別（ＲＦＩＤ）リーダを内蔵した製品がリリースされている。現行の実装は、１３．５６ＭＨｚで動作する近接場通信（ＮＦＣ：Ｎｅａｒ  Ｆｉｅｌｄ  Ｃｏｍｍｕｎｉｃａｔｉｏｎ）技術に基づいている。この技術における通信は、誘導結合によって得られ、従って、リーダおよびタグの両方においてかなり大きなコイルアンテナが必要である。その上、誘導結合には、無線接続のレンジに関し制限がある。標準的に、適正な励起電流およびアンテナサイズで１３．５６ＭＨｚでの最大レンジは、約１〜２ｍである。
【０００６】
１３．５６ＭＨｚでの無線周波識別（ＲＦＩＤ）システムのレンジが制限されていたために、サプライチェーンマネージメントおよびロジスティックスアプリケーションの活動領域における関心はより高い周波数、すなわちＵＨＦ（超高周波数）およびマイクロ波周波数に向かって高まっていった。ＵＨ周波数（周波数割当てに従って欧州では８６８ＭＨｚ前後そして米国では９１５ＭＨｚ前後）で、産業用および業務用の固定式設備の中で達成可能なレンジは、最高１０メートルであり、これは、１３．５６ＭＨｚと比較して完全に新しいアプリケーションを可能にするものである。ＵＨＦおよびマイクロ波周波数での無線周波識別（ＲＦＩＤ）通信の動作は、後方散乱に基づいている。すなわち、リーダ（質問機）は励起／質問信号を生成し、無線周波識別（ＲＦＩＤ）タグ（ＲＦＩＤトランスポンダ）は、特定されたデータ独立型パターンに従ってそのアンテナインピーダンスを改変する。
【０００７】
現在、ＵＨＦ帯域における最も重要な標準化フォーラムはＥＰＣグローバルであり、めまぐるしく動き情報量の多い今日の取引ネットワークの中での無線周波識別（ＲＦＩＤ）の使用をサポートするべく電子製品コード（ＥＰＣ）についての産業推進型規格の開発を主導している。短期的目標は、パレット内のバーコードに置き換わることであり、長期的にはパッケージ内および一部の個別製品でもこれを行なうことにある。これらの目標が実現すれば、ユーザは、無線周波識別（ＲＦＩＤ）トランスポンダに合致するＥＰＣグローバルの備わった品目に触れるだけで、製品情報またはその無線周波識別（ＲＦＩＤ）通信有効化された端末に対するより詳細な情報へのポインタを得ることになる。
【０００８】
無線周波識別（ＲＦＩＤ）リーダサブシステムにおいて生成された励起電力は、適正に高く、携帯端末に関連する民生用アプリケーションの約１００ｍＷから、業務用固定式アプリケーションで使用される数ワットまでに至る。ＵＨＦ無線周波識別（ＲＦＩＤ）帯域のための使用される周波数割当ては、欧州で８６８ＭＨｚＩＳＭ帯域、米国で９１５ＭＨｚ帯域である。明らかに、使用される周波数は、それぞれ移動局セルラー送信機および受信機について、欧州では８８０ＭＨｚ〜９１６ＭＨｚ、ならびに９２５ＭＨｚ〜９６０ＭＨｚであり、米国では８２４ＭＨｚ〜８４９ＭＨｚならびに８６９ＭＨｚ〜８９４ＭＨｚである、使用されているセルラー周波数に近い。無線周波識別（ＲＦＩＤ）リーダサブシステムが発出するかなり強力な無線周波識別（ＲＦＩＤ）励起信号に起因して、無線周波識別（ＲＦＩＤ）励起信号の不完全な性質およびＲＦフィルタの制限された拒絶を原因とする、同じ端末内にある動作中のセルラー送信機に対する重大な干渉がひき起こされる可能性がある。実際には、無線周波識別（ＲＦＩＤ）リーダアンテナとセルラーアンテナは互いに２〜３センチメートルしか離隔していない可能性があり、かくして、結合損失は、約１０〜２０ｄＢ程度であるかもしれない。約２０ｄＢｍ（約１００ｍＷに相当する）という無線周波識別（ＲＦＩＤ）リーダサブシステムのＲＦ電力レベルを考慮すると、セルラー送信機のアンテナポートには、０ｄＢｍの信号が見られる可能性がある。セルラーアンテナおよびバランは、その周波数依存性ならびにフロントエンドＲＦフィルタにより、干渉を幾分か拒絶するが、結果として得られる信号レベルはなおも、所望のセルラー信号をひどく干渉するかまたは一部の状況ではそれを遮断しさえするのに充分なほど高いものである。最大限の統合利益が追究されている極端なケースでは、セルラー無線および無線周波識別（ＲＦＩＤ）リーダは、これらのシステムの動作シーケンスが標準的に互いに近く、従って１つのアンテナを両方のシステムに供用し得ることから、同じアンテナを使用する可能性があると思われる。
【０００９】
本発明の目的は、無線周波識別（ＲＦＩＤ）サブシステムと無線通信サブシステムの両方の調整のとれた同時使用を可能にするための方法および手段を提供することにある。特に、考慮されている共存は、同じ端末デバイスに統合されたセルラー通信サブシステムと無線周波識別（ＲＦＩＤ）サブシステムにあてはまる。無線周波識別（ＲＦＩＤ）サブシステムは、その携帯端末内で動作中のいずれかの無線通信サブシステムに対し、高いノイズフロアによって干渉をひき起こす。
【課題を解決するための手段】
【００１０】
本発明の目的は、添付の独立クレームの特長によって解決される。
【００１１】
本発明の１つの態様によれば、無線通信サブシステムおよび無線周波識別（ＲＦＩＤ）通信サブシステム上での通信をスケジューリングするための方法が提供されている。無線通信サブシステムの１つまたは複数の活動周期が決定される。１つまたは複数の決定された活動周期に基づいて１つまたは複数の非活動周期が導出される。１つまたは複数の非活動周期と、無線周波識別（ＲＦＩＤ）通信サブシステムの動作が同期化される。その後、無線通信サブシステムおよび無線周波識別（ＲＦＩＤ）通信サブシステムの実質的に同時の通信動作が有効化されるように、１つまたは複数の導出された非活動周期に従って無線周波識別（ＲＦＩＤ）通信サブシステムの動作がトリガーされる。
【００１２】
本発明の別の１つの態様によれば、無線周波識別（ＲＦＩＤ）リーダサブシステムと共に動作可能な無線周波識別（ＲＦＩＤ）通信に適用可能な１つまたは複数の未占有ＲＦサブバンドの識別を可能にするべくリッスン・ビフォア・トーク測定を有効化するコンピュータプログラム製品が提供されている。このコンピュータプログラム製品は、プログラムがコンピュータ、端末、ネットワークデバイス、携帯端末、移動体通信有効化端末またはアプリケーション特定的集積回路上でランされる場合に、本発明の上述の実施形態に従った方法の各段階を実施するためのプログラムコードセクションを含んで成る。このコードセクションを含んで成るコンピュータプログラム製品は、コンピュータ可読媒体上に記憶され得る。代替的には、アプリケーション特定的集積回路（ＡＳＩＣ）が、本発明の上述の実施形態の方法の上述の段階を実施するように適合された、すなわち上述のコンピュータプログラム製品と等価である１つまたは複数の命令を実現し得る。
【００１３】
本発明の１つの態様によれば、無線通信サブシステムおよび無線周波識別（ＲＦＩＤ）通信サブシステム上での通信をスケジューリングするように配置されたスケジューリングモジュールが提供されている。このスケジューリングモジュールは、無線通信サブシステムおよび無線周波識別（ＲＦＩＤ）通信サブシステムと共に動作可能であり、このスケジューリングモジュールは、無線通信サブシステムの１つまたは複数の活動周期を決定し、１つまたは複数の決定された活動周期に基づいて１つまたは複数の非活動周期を導出するように配置されている。このスケジューリングモジュールは、１つまたは複数の非活動周期と同期化されている。このスケジューリングモジュールによりトリガー信号が生成され、無線通信サブシステムおよび無線周波識別（ＲＦＩＤ）通信サブシステムの実質的に同時の通信動作を有効化するために１つまたは複数の導出された非活動周期に従って無線周波識別（ＲＦＩＤ）通信サブシステムの動作をトリガーするべく、無線周波識別（ＲＦＩＤ）通信サブシステムに供給される。
【００１４】
本発明の別の１つの態様によれば、無線通信サブシステムおよび無線周波識別（ＲＦＩＤ）通信サブシステム上でのスケジューリングされた通信のために有効化された端末デバイスが提供されている。この端末デバイスは、無線通信サブシステムおよび無線周波識別（ＲＦＩＤ）通信サブシステムと共に動作可能なスケジューリングモジュールを含んで成る。このスケジューリングモジュールは、無線通信サブシステムの１つまたは複数の活動周期を決定し、１つまたは複数の決定された活動周期に基づいて１つまたは複数の非活動周期を導出するように配置されている。このスケジューリングモジュールは、１つまたは複数の非活動周期と同期化されている。このスケジューリングモジュールによりトリガー信号が生成され、無線通信サブシステムおよび無線周波識別（ＲＦＩＤ）通信サブシステムの実質的に同時の通信動作を有効化する目的で１つまたは複数の導出された非活動周期に従って無線周波識別（ＲＦＩＤ）通信サブシステムの動作をトリガーするべく無線周波識別（ＲＦＩＤ）通信サブシステムに供給される。
【００１５】
本発明の別の１つの態様によれば、セルラー通信サブシステムおよび無線周波識別（ＲＦＩＤ）通信サブシステム上でのスケジューリングされた通信を有効化するシステムが提供されている。このシステムはさらに、セルラー通信サブシステムおよび無線周波識別（ＲＦＩＤ）通信サブシステムと共に動作可能であるスケジューリングモジュールを含んで成る。このスケジューリングモジュールは無線通信サブシステムの１つまたは複数の活動周期を決定し、１つまたは複数の決定された活動周期に基づいて１つまたは複数の非活動周期を導出するように配置されている。このスケジューリングモジュールは、１つまたは複数の非活動周期と同期化されている。このスケジューリングモジュールによりトリガー信号が生成され、無線通信サブシステムおよび無線周波識別（ＲＦＩＤ）通信サブシステムの実質的に同時の通信動作を有効化する目的で１つまたは複数の導出された非活動周期に従って無線周波識別（ＲＦＩＤ）通信サブシステムの動作をトリガーするべく無線周波識別（ＲＦＩＤ）通信サブシステムに供給される。
【発明を実施するための最良の形態】
【００１６】
本発明をより良く理解するためおよびそれをいかに実施できるかを理解するため、単に例示を目的としてここで添付図面を参照する。
【００１７】
以下の記述全体を通して、同じおよび／または同等の構成要素は同じ参照番号により言及されることになる。
【００１８】
以下では、本発明の概念について、特にＧＳＭ、ＧＳＭ／ＧＰＲＳ、ＧＳＭ／ＥＤＧＥ、ｃｄｍａ２０００および／またはＵＭＴＳセルラー通信をサポートするセルラー通信サブシステムを基準にして記述する。さらに、無線周波識別（ＲＦＩＤ）通信については、特にＥＰＣグローバル規格をサポートする超高周波数（ＵＨＦ）の無線周波識別（ＲＦＩＤ）通信を基準にして記述することになる。セルラー通信サブシステムならびに無線周波識別（ＲＦＩＤ）リーダサブシステムの上述の明細が例示を目的として提供されていることに留意すべきである。本発明は、これらに制限されていないものとして理解されるべきである。
【００１９】
元々、無線周波識別（ＲＦＩＤ）技術は主として、これまで物品管理の目的およびロジスティクスのために用いられているバーコード識別ラベルに置き換わるように、電子物品監視、物品管理目的およびロジスティクス用に開発され導入されてきた。技術的現状の無線周波識別（ＲＦＩＤ）トランスポンダの状態の標準的な１つの実装が図１に関して示されている。標準的な無線周波識別（ＲＦＩＤ）トランスポンダモジュール１０には従来、ここではトランスポンダメモリ１３として描かれているデータ記憶能力をもつトランスポンダ論理１２として典型的に描かれた電子回路、およびアンテナ１４をトランスポンダ論理１３に結合する無線周波数（ＲＦ）インタフェース１１を含む。無線周波識別（ＲＦＩＤ）トランスポンダは標準的には、接着剤を用いてタグ付けされるべき品目に特に取付けられた小さな容器の中に収容されている。無線周波識別（ＲＦＩＤ）トランスポンダの考慮されているアプリケーションに対して課せられる必要条件に応じて（すなわちデータ伝送速度、質問エネルギー、伝送レンジなど）、数十〜１００ｋＨｚから数該発明ｚ（例えば１３４ｋＨｚ、１３．５６ＭＨｚ、８６０ＭＨｚ〜９２８ＭＨｚなど（単なる例示））までの範囲内の異なる無線周波数でのデータ／情報伝送のために異なるタイプが提供される。無線周波識別（ＲＦＩＤ）トランスポンダの２つの主要なクラスを区別することができる。受動無線周波識別（ＲＦＩＤ）トランスポンダは、例えば予め規定された周波数での無線周波数（ＰＦ）信号などの励起または質問信号を生成する無線周波識別（ＲＦＩＤ）リーダにより活動化され付勢される。能動無線周波識別（ＲＦＩＤ）トランスポンダは、付勢するためにバッテリまたはアキュムレータといったような独自の電源（図示せず）を備える。
【００２０】
無線周波識別（ＲＦＩＤ）リーダモジュール２０を用いた無線周波識別（ＲＦＩＤ）トランスポンダの活動化の時点で、トランスポンダメモリ１３内に記憶された情報コンテンツは、検出すべき無線周波識別（ＲＦＩＤ）トランスポンダモジュール１０のアンテナにより発出され無線周波識別（ＲＦＩＤ）リーダモジュール２０により受信される無線周波数（ＲＦ）信号（すなわち質問ＲＦ信号）上に変調させられる。より特定的には、能動無線周波識別（ＲＦＩＤ）トランスポンダ（すなわち局所的電源を全く有していないもの）の場合には、無線周波識別（ＲＦＩＤ）トランスポンダは従来、質問する無線周波識別（ＲＦＩＤ）リーダにより生成された時変電磁無線周波数（ＰＦ）信号／波により付勢される。無線周波数（ＲＦ）フィールドが無線周波識別（ＲＦＩＤ）トランスポンダ１０に結びつけられたアンテナを通過するとき、アンテナを横断して電圧が生成される。この電圧は、無線周波識別（ＲＦＩＤ）トランスポンダ１０を付勢するために用いられ、時として後方散乱と呼ばれる無線周波識別（ＲＦＩＤ）トランスポンダから無線周波識別（ＲＦＩＤ）リーダへの情報の後方伝送を有効化する。
【００２１】
標準的な技術的現状の無線周波識別（ＲＦＩＤ）トランスポンダは、ＩＳＯ１４４４３タイプＡ規格、Mifare規格、Near Field Communication（ＮＦＣ）規格、および／またはＥＰＣグローバル規格といったような無線周波識別（ＲＦＩＤ）規格に対応する。
【００２２】
無線周波識別（ＲＦＩＤ）トランスポンダのアプリケーション目的に従って、トランスポンダメモリ１３に記憶された情報またはデータは、ハードコードまたはソフトコードされ得る。ハードコードされるというのは、トランスポンダメモリ１３内に記憶された情報またはデータが予め決定され修正不可能であることを意味する。ソフトコードされるというのは、トランスポンダメモリ１３内に記憶された情報またはデータが外部実体により設定可能であることを意味する。トランスポンダメモリ１３の設定は、アンテナ１４を介して受信した無線周波数（ＲＦ）信号により実施され得、そうでなければ、トランスポンダメモリ１３へのアクセスを可能にする設定インタフェース（図示せず）を介して実施され得る。
【００２３】
無線周波識別（ＲＦＩＤ）リーダモジュール２０は標準的には、ＲＦインタフェース２１、リーダ論理２２、およびデータインタフェース２３を備える。データインタフェース２３は従来、とりわけ、一方ではデータインタフェース２３を介してホストからリーダ論理２２まで伝送された命令を用いて無線周波識別（ＲＦＩＤ）リーダ２０の動作の制御を行ない他方ではデータインタフェース２３を介してリーダ論理２２により提供されたデータを受信する携帯式端末といったようなホストシステムと接続されている。動作命令の時点で、リーダ論理２２は、無線周波識別（ＲＦＩＤ）リーダモジュール２０のＲＦインタフェース２１に結合されたアンテナ２４を介して発出されるべき励起／質問信号を生成するようにＲＦインタフェース２１を起動する。無線周波識別（ＲＦＩＤ）トランスポンダモジュール１０といったような無線周波識別（ＲＦＩＤ）トランスポンダが励起／質問信号のサービスエリア内部にある場合には、無線周波識別（ＲＦＩＤ）トランスポンダは付勢され、変調されたＲＦ信号（後方散乱ＲＦ信号）がそこから受信される。特に、変調されたＲＦ信号は、励起／質問ＲＦ信号上に変調されたトランスポンダメモリ内に記憶されたデータを搬送する。変調されたＲＦ信号は、アンテナ２４内に結合され、ＲＦインタフェース２１により復調され、リーダ論理２２に供給され、このリーダ論理はこのとき変調された信号からデータを得ることを担当する。最後に、受信した変調済みＲＦ信号から得たデータは、データインタフェースを介してホストシステムに提供される。
【００２４】
図２は、携帯／セルラー電話端末という典型的な形をした携帯式電子端末１００の構成要素の概略的ブロック図を示している。携帯式電子端末１００は、本発明と共に用いることのできるあらゆる種類の処理端末またはデバイスを一例として表わしている。本発明は、例示されている携帯式電子端末１００にもいずれかのその他の特定の種類の処理端末またはデバイスにも制限されないということを理解すべきである。
【００２５】
前述の通り、例示された携帯式電子端末１００は、セルラー通信有効化携帯式ユーザ端末として一例として実施されている。特に、携帯式電子端末１００は、それぞれ中央処理ユニット（ＣＰＵ）および移動式処理ユニット（ＭＰＵ）１１０、データおよびアプリケーション記憶装置１２０、相応して適合されたＲＦアンテナ（１８１）および加入者識別モジュール（ＳＩＭ）１８５を伴うセルラー無線周波数インタフェース（Ｉ／Ｆ）を含むセルラー通信手段、標準的にオーディオ入出力（Ｉ／Ｏ）手段１４０（従来はマイクロホンおよび拡声器）、キー、キーパッドおよび／またはキー入力コントローラ（Ｃｔｒｌ）１３０を伴うキーボードおよびディスプレイコントローラ（Ｃｔｒｌ）１５０を伴うディスプレイを含むユーザインタフェース入出力手段、および（局所的）無線および／または有線データインタフェース（Ｉ／Ｆ）を備えるプロセッサベースのまたはマイクロコントローラベースのシステムとして実施される。
【００２６】
携帯式電子端末１００の動作は、標準的には、そのユーザに対しそれらの使用を提供することにより携帯式電子端末１００の機能、特長および機能性を制御するオペレーティングシステムまたは基本的制御アプリケーションに基づいて、中央処理ユニット（ＣＰＵ）／移動式処理ユニット（ＭＰＵ）１１０によって制御される。ディスプレイおよびディスプレイコントローラ（Ｃｔｒｌ）１５０は標準的には、処理ユニット（ＣＰＵ／ＭＰＵ）により制御され、ユーザが携帯式電子端末１００の機能、特長および機能性を利用できるようにする（グラフィカルユーザインタフェース）（ＵＩ）を特に含むユーザ向けの情報を提供する。キーパッドおよびキーパッドコントローラ（Ｃｔｒｌ）１３０は、ユーザが入力する情報を有効化するために備えられている。
【００２７】
キーパッドを介して入力された情報は、従来キーパッドコントローラ（Ｃｔｒｌ）により処理ユニット（ＣＰＵ／ＭＰＵ）１１０に供給され、このユニットは、入力された情報に従って命令および／または制御を受け得る。オーディオ入出力（Ｉ／Ｏ）手段１４０は、少なくともオーディオ信号を再生するためのスピーカおよびオーディオ信号を記録するためのマイクロホンを含む。処理ユニット（ＣＰＵ／ＭＰＵ）１１０は、オーディオデータからオーディオ出力信号への変換、および例えばオーディオデータが伝送および記憶用に適した書式を有している場合などのオーディオ入力信号からオーディオデータへの変換を制御することができる。デジタルオーディオからオーディオ信号へおよびその逆へのオーディオ信号の変換は、従来、例えばデジタル信号プロセッサ（ＤＳＰ、図示せず）に基づいて実装されたデジタル−アナログおよびアナログ−デジタル回路によって支援されている。
【００２８】
入力のためにユーザが操作できるキーパッドは例えば、英数字キーおよびＩＴＵ−Ｔキーパッドから既知のもののような電話技術特定キー、文脈特定的入力機能性をもつ１つまたは複数のソフトキー、ユーザインタフェース（ＵＩ）を通したブラウジングまたはディスプレイ内でのカーソルの移動のためのスクロールキー（上下および／または左右および／またはその任意の組合せ、４方向ボタン、８方向ボタン、ジョイスティックおよび／または同様のコントローラを備える。
【００２９】
図２に例示されている特定的実施形態による携帯式電子端末１００は、無線周波数アンテナ（１８１）に結合され加入者識別モジュール（ＳＥＭ）１８５と共に動作可能であるセルラー通信サブシステム１８０を含む。セルラー通信サブシステム１８０は、セルラーアンテナからの信号を受信するためセルラートランシーバとして配置され、信号を復号し、それらを復調させ、同様にそれらをベースバンド周波数に縮小する。セルラー通信サブシステム１８０は、加入者識別モジュール（ＳＩＭ）１８５と併用して、公衆移動通信ネットワーク（ＰＬＭＮ）の無線アクセスネットワーク（ＲＡＮ）の対応する基地局（ＢＳ）、基地局コントローラ、ノードＢなどとのセルラー通信のために役立つ無線インタフェースを提供する。かくして、セルラー通信サブシステム１８０の出力は、処理ユニット（ＣＰＵ／ＭＰＵ）１１０によるさらなる処理を必要とし得るデータストリームで構成されている。セルラートランシーバとして配置されているセルラー通信サブシステム１８０は、同様に、無線インタフェースを介して無線アクセスネットワーク（ＲＡＮ）（図示せず）の基地局（ＢＳ）に伝送されるべき処理ユニット（ＣＰＵ／ＭＰＵ）１１０からのデータを受信するようにも適合されている。従って、セルラー通信サブシステム１８０は、データ体現信号を符号化し、変調しかつ無線周波数へとアップコンバートし、この無線周波数は無線伝送のために使用されることになる。このとき、携帯式電子端子１００のアンテナ（輪郭が描かれている）は、結果として得られた無線周波数信号を、公衆移動通信ネットワーク（ＰＬＭＮ）の無線アクセスネットワーク（ＲＡＮ）の対応する基地局（ＢＳ）へと伝送する。セルラー通信サブシステム１８０は好ましくは、ＧＰＲＳ（汎用パケット無線通信システム）および／またはＥＤＧＥ（ＧＳＭ進化型強化データ；２．５世代）のために有効化され得るＧＳＭ（移動体通信用地球規模システム）といったような第２世代のデジタルセルラーネットワーク、特にＵＭＴＳ（汎用移動体遠隔通信システム）およびｃｄｍａ２０００システムを含めた任意のＣＤＭＡ（符号分割多元接続）システムといったような第３世代のデジタルセルラーネットワーク、および／またはセルラー電話技術のための任意の類似の、関係するまたは将来の（３．５世代、第４世代）の規格をサポートする。
【００３０】
無線および／または有線データインタフェース（Ｉ／Ｆ）１６０は一例として描かれており、典型的な携帯式電子端末１００内で実装された上述のセルラー通信サブシステム１８０に追加してまたはそれに代わるものとして提供され得る１つまたは複数のデータインタフェースを代表するものと理解されるべきである。今日、多数の無線通信規格が利用可能である。例えば、携帯式電子端末１００は、あらゆるＩＥＥＥ８０２．××規格、Ｗｉ−Ｆｉ規格、ＷｉＭＡＸ規格、あらゆるブルートゥース規格（１．０、１．１、１．２、２．０＋ＥＤＲ、ＬＥ）、ジグビー（無線パーソナルエリアネットワーク（ＷＰＡＮ））、赤外線データアクセス（ＩＲＤＡ）、無線ＵＳＢ（ユニバーサルシリアルバス）および／またはその他の現在利用可能な規格および／またはＵＷＢ（超高帯域）といったようなあらゆる将来の無線データ通信規格に従って動作する１つまたは複数の無線インタフェースを含み得る。
【００３１】
その上、データインタフェース（Ｉ／Ｆ）１６０は、特に典型的な携帯式電子端末１００内で実装される有線データインタフェースを内含する１つまたは複数のデータインタフェースを表わすものとしても理解されるべきである。かかる有線インタフェースは、イーサネット（登録商標）ＬＡＮ（ローカルエリアネットワーク）、ＰＳＴＮ（公衆交換電話網）、ＤＳＬ（デジタル加入者回線）および／またはその他の利用可能なならびに将来の規格といったような有線ベースのネットワークを支援し得る。データインタフェース（Ｉ／Ｆ）１６０は同様に、あらゆる独自シリアル／パラレルインタフェース、ユニバーサルシリアルバス（ＵＳＢ）インタフェース、（任意のＩＥＥＥ１３９４／１３９４ａ／１３９４ｂなどの規格に従った）ファイアワイヤインタフェース、ＡＴＡＰＩ（アドバンスト・テクノロジー・アタッチメント・パケットインタフェース）適合バスを含むメモリバスインタフェース、ＭＭＣ（マルチメディアカード）インタフェース、ＳＤ（セキュリティデータ）カードインタフェース、フラッシュカードインタフェースなどを含めたあらゆるデータインタフェースをも表わし得る。
【００３２】
本発明の実施形態による携帯式電子端末１００は、ＲＦアンテナ１９４に結合された無線周波識別（ＲＦＩＤ）リーダサブシステム１９０を備える。無線周波識別（ＲＦＩＤ）リーダモジュールの基本的実装および動作を例示する図１および上述のそれについての記述を参照すべきである。無線周波識別（ＲＦＩＤ）リーダサブシステム１９０は、端末１００に対し固定的に接続されるかまたは着脱可能な形で端末１００に結合された状態で、端末内に含み得る。その上、携帯式電子端末１００に対し着脱可能な形で取付けられる携帯式電子端末１００の機能カバーを、無線周波識別（ＲＦＩＤ）リーダサブシステム１９０に備えることもできる。好ましくは、このような着脱可能な機能カバーの中に無線周波識別（ＲＦＩＤ）リーダサブシステム１９０を統合することができる。本発明の発明的概念によれば、端末１００により１つのスケジューラ２００が構成される。スケジューラ２００は、端末１００、セルラーインタフェース１８０および／または無線周波識別（ＲＦＩＤ）リーダサブシステム１９０に接続されている。無線周波識別（ＲＦＩＤ）リーダサブシステム１９０およびスケジューラ２００の特定的実装についての詳細を、以下に提示する。
【００３３】
図２中で例示されている構成要素およびモジュールは、携帯式電子端末１００内に別の独立したモジュールとしてまたはその何らかの組合せの形で統合可能である。好ましくは、携帯式電子端末１００の１つまたは複数の構成要素およびモジュールを、システムオンチップ（ＳｏＣ）を形成する処理ユニット（ＣＰＵ／ＭＰＵ）に統合することができる。システムオンチップ（ＳｏＣ）は好ましくは、単一のチップ内にコンピュータシステムの全ての構成要素を統合する。ＳｏＣは、デジタル、アナログ、混合型信号そして往々にして無線周波数機能も収納することができる。標準的な利用分野は、特にサイズおよび電力消費量の制約により押え付けられている埋込み型システムおよび携帯式システムの分野である。かかる標準的なＳｏＣは、異なるタスクを実施する多数の集積回路で構成されている。これらには、マイクロプロセッサ（ＣＰＵ／ＭＰＵ）、メモリ（ＲＡＭ：ランダムアクセスメモリ、ＲＯＭ：読取り専用メモリ）、１つまたは複数のＵＡＲＴ（ユニバーサル非同期送受信機）、１つまたは複数のシリアル／バラレル／ネットワークポート、ＤＭＡ（ダイレクトメモリアクセス）コントローラチップ、ＧＰＵ（図形処理ユニット）、ＤＳＰ（デジタル信号プロセッサ）などを含む１つまたは複数の構成要素が内含されている。半導体技術における最近の改善は、ＶＬＳＩ（超大規模統合）集積回路の複雑性を増大させることができるようにし、そのため単一のチップ内に１つのシステムの全ての構成要素を統合することが可能となった。
【００３４】
携帯式電子端末１００と共に動作可能な標準的なアプリケーションは、データおよび／または音声通信機能性を有効化する基本的アプリケーションの下方に、予定管理アプリケーション、カレンダアプリケーション、マルチメディアプレーヤーアプリケーション、ＷＥＢ／ＷＡＰブラウジングアプリケーション、および／または例えばショートメッセージサービス（ＳＭＳ）、マルチメディアメッセージサービス（ＭＭＳ）および／またはＥメールサービスをサポートするメッセージングアプリケーションを備える。近代的携帯式電子端末は、プログラミング可能である。すなわちかかる端末は、プログラミングインタフェースおよび実行層を実装し、これにより、あらゆるユーザまたはプログラマが携帯式電子端末１００と動作可能なアプリケーションを新規作成しインストールすることが可能となる。今日の定評あるデバイス依存型プログラミング言語は、ＪＡＶＡ（登録商標）でありこれはＪＡＶＡ（登録商標）マイクロエディション（ＭＥ）と呼称されるモバイル機器の機能性および必要条件に適合された特定のバージョンで入手可能である。ＪＡＶＡ（登録商標）  ＭＥに基づいて新規作成されたアプリケーションプログラムの実行を有効化するために、携帯式電子端末１００はＪＡＶＡ（登録商標）  ＭＩＤＰ（モバイル情報デバイスプロファイル）を実装し、これがＪＡＶＡ（登録商標）  ＭＩＤｌｅｔとしても知られるＪＡＶＡ（登録商標）  ＭＥアプリケーションプログラムと携帯式電子端末１００の間のインタフェースを画定する。ＪＡＶＡ（登録商標）  ＭＩＤＰ（モバイル情報デバイスプロファイル）は、ＪＡＶＡ（登録商標）  ＭＩＤｌｅｔｓを実行するべく配置された仮想ＪＡＶＡ（登録商標）エンジンを用いて実行環境を提供する。しかしながら、本発明はＪＡＶＡ（登録商標）  ＭＥプログラミング言語およびＪＡＶＡ（登録商標）  ＭＩＤｌｅｔｓに制限されず、本発明についてその他のプログラミング言語、特に独自プログラミング言語を応用できる、ということを理解すべきである。
【００３５】
本発明の主要な概念は、無線周波識別（ＲＦＩＤ）リーダ１９０とセルラー無線インタフェース１８０の共存とその同時動作を扱かっている。本発明の概念について、ＵＨＦ無線周波識別（ＲＦＩＤ）通信、特に無線周波識別（ＲＦＩＤ）通信のためのＥＰＣグローバル適合規格を基準にして記述する。さらに、本発明の概念は、同様に、特にＧＳＭ、ＧＳＭ／ＥＤＧＥ、ＷＣＤＭＡおよび／またはｃｄｍａ２０００をサポートするセルラー無線インタフェース１８０を基準にしても記述される。ただし、本発明はこれらの特定の実施形態に制限されていないという点に留意すべきである。当業者であれば、該記述に基づき、本発明の概念が同様にその他のあらゆる無線周波識別（ＲＦＩＤ）通信規格および無線通信規格（特にその他のあらゆるセルラー通信規格および無線ネットワーク通信規格を含む）を用いても適用可能であるということを認識することであろう。
【００３６】
前述の通り、ＵＨＦ無線周波識別（ＲＦＩＤ）通信のために以下のような特定周波数帯域が割当てられる。
ＵＨＦ  ＲＦＩＤ８６８ＩＳＭ帯域（欧州：８６８−８７０ＭＨｚ（最大５００ｍＷで）および
ＵＨＦ  ＲＦＩＤ９１５帯域（米国）：９０２〜９２８ＭＨｚ（最大４Ｗで）。
【００３７】
異なるセルラー規格に従って、セルラー通信のためにさまざまな周波数帯域が割当てられる。下表では、選択した使用周波数帯域を列挙するが、この表は網羅的なものではない。後に参照するため、異なる周波数帯域についての一般に受容された略号が記されている。
【表１】
2009510870.tif 000003
【００３８】
当業者であれば、ＵＨＦ無線周波識別（ＲＦＩＤ）通信およびセルラー通信が使用する周波数帯域が重複しないことがわかるだろう。従って、少なくとも理論的には、セルラーならびにＵＨＦ無線周波識別（ＲＦＩＤ）通信の同時動作は、最高の品質のＲＦ構成要素を利用することで得ることができると思われる。実際には、このような最高品質の構成要素は嵩高く高価なものとなると思われる。従って、コストおよびサイズの観点から見ると、好ましくは時間領域内でこれらの無線機の動作をスケジューリングする能力をもつソリューションが好ましいと思われる。
【００３９】
ＵＨＦ無線周波識別（ＲＦＩＤ）リーダの励起／質問信号すなわちダウンリンク信号は、標準的には、振幅または位相変調された搬送波である。該信号の電力はアプリケーションにより左右されるが、工業的アプリケーションでは数ワットそして携帯式端末に関連するアプリケーションにおいてはおそらくは数百ミリワットであると考えられる。標準的には、無線周波識別（ＲＦＩＤ）リーダは、ユーザアクション（例えばユーザがボタンを押した時点で検出される入力信号）またはアプリケーション要求（例えばタイマ満了時に１つのアプリケーションにより生成されるもの）に基づいてその励起信号を発出する。無線周波識別（ＲＦＩＤ）リーダと無線周波識別（ＲＦＩＤ）トランスポンダとの間のデータ交換の間、無線周波識別（ＲＦＩＤ）リーダは、無線周波識別（ＲＦＩＤ）トランスポンダを付勢状態に保つために搬送波信号を発出する（前述の記述を参照のこと）。あらゆるセルラー無線機動作中の協調していない形での強力な搬送波の発出は、セルラー無線機性能にとって有害であり、従ってこの種の状況は回避すべきである。
【００４０】
本発明の１実施形態によれば、携帯式端末１００は、好ましくは無線周波識別（ＲＦＩＤ）通信およびセルラー通信の両方の同時または一斉動作を得ることができるように任意のセルラー無線トランシーバ動作と協調状態でのみ無線周波識別（ＲＦＩＤ）リーダの動作を有効化する制御実体を有している。
【００４１】
ここでは、実質的に同時のおよび／または一斉の通信動作を体験できるように時分割多元化がユーザにとって明白である場合に、時分割多元化された物理的レベル（低層レベル）で同時および／または一斉通信動作を操作できるということを理解すべきである。
【００４２】
最初の基本的ケースでは、携帯式端末１００で構成されたスケジューラ２００である制御実体は、スケジューラが無線周波識別（ＲＦＩＤ）リーダによるその質問および通信の開始を可能にする前にセルラー無線機が（完全に）オフ切換えされているか否かをチェックする。無線周波識別（ＲＦＩＤ）通信活動後に直ちにセルラー接続が必要とされている場合には、セルラー動作の立上りに幾分か時間がかかることから、この最初の基本的アプローチはかなり単純である。
【００４３】
より高度のアプローチでは、無線周波識別（ＲＦＩＤ）通信活動は、セルラー動作の不活動期間中行なわれるようにスケジューリングされている。同じ原理を、端末の異なる状態に適用することが可能である。端末がセルラーネットワークに取り付けられていない場合、無線周波識別（ＲＦＩＤ）読取り状況はきわめて直接的である。問題のセルラーシステムの如何に関わらず、アイドル／スタンバイ動作モードで、端末はページングメッセージを開き、セル内電力レベル関連および隣接セル（セル間）電力レベルおよびその他のシステムの利用可能性関連の測定を行ない、必要な場合には、ランダムアクセスメッセージを送る。この状態で必要とされる活動は長いバッテリ寿命を保証するためかなり少なく、従って無線周波識別（ＲＦＩＤ）通信活動に利用できる時間は多くある。能動状態では、端末は音声呼出しまたはパケット接続を通したデータ交換のいずれかに使用されている。この状態および能動状態に先行するおよび後続する状態（例えばＧＰＲＳにおける準備完了状態）は、大量の活動を必要とし、従って、無線周波識別（ＲＦＩＤ）読取り動作のために利用可能な時間はかなり限られている。例えば、セルラー伝送（８タイムスロット中の１タイムスロット）および受信（１タイムスロット）の両方がこれらのタイムスロットにおいて無線周波識別（ＲＦＩＤ）読取り活動により妨害されることになる確率が最も高いことから、能動的ＧＳＭ呼出しの間無線周波識別（ＲＦＩＤ）読取り動作を達成するのに（８−２）×０．５７７ｍｓ≒３．５ｍｓの時間しかない（ＧＳＭタイムフレーム構造に従うと、各フレームが８つのタイムスロットを含むという点に留意されたい）。
【００４４】
従って、本発明によれば、スケジューラ２００は、ここでは無線周波識別（ＲＦＩＤ）リーダサブシステム１９０として実施されている無線周波識別（ＲＦＩＤ）サブシステムとここでは携帯式端末１００として実施されているホストシステムの間にインタフェースを確立する。好ましくはハードウェアおよび／またはソフトウェア実現の助けを借りてスケジューラ２００に基づいて実装されるスケジューラアルゴリズムを用いることにより、上述の要領での同時多重無線機動作が有効化される。無線周波識別（ＲＦＩＤ）サブシステムの動作に対する制御は、スケジューラ２００を介してホストシステム（すなわち携帯式端末１００）により行なわれる。制御を有効化するためには、無線周波識別（ＲＦＩＤ）サブシステム（すなわち無線周波識別（ＲＦＩＤ）リーダサブシステム１９０）に、（デジタル入出力）トリガー信号端末１９６およびウォッチドック論理を備えることができる。
【００４５】
図２ｂを参照すると、本発明の１実施形態による無線周波識別（ＲＦＩＤ）リーダサブシステムに基づく無線周波識別（ＲＦＩＤ）サブシステムが例示されている。前述の通り、無線周波識別（ＲＦＩＤ）リーダサブシステム１９０は、無線周波識別（ＲＦＩＤ）リーダ動作に必要とされる標準的な構成要素、すなわち、ホストシステム（すなわち携帯式端末１００）に結合されたデータインタフェース（Ｉ／Ｆ）１９１、例えばマイクロコントローラ（μＣ）に基づいて実装されたリーダ論理１９２およびＲＦアンテナ１９４に結合された無線周波数（ＲＦ）インタフェース１９３を含む。本発明の１実施形態によるウォッチドッグ論理１９５が、無線周波識別（ＲＦＩＤ）リーダサブシステム１９０の動作全体に対する制御可能性を有効化するように配置されている。ウォッチドッグ論理１９５は、リーダ論理内に統合されてもよいしあるいはまた別々に実装されてもよい。ウォッチドッグ論理１９５には、トリガー端末１９６を通してホストシステム（携帯式端末１００）からのトリガー信号が供給され得る。トリガー信号は、スケジューラ２００により供給され、スケジューリングアルゴリズムに従って生成される。
【００４６】
スケジューリングアルゴリズムについては以下でより詳細に記述することになる。ホストシステムに接続されたデータインタフェース（Ｉ／Ｆ）１９１を同様にホストシステムからのコンフィギュレーションデータおよび命令を受信するように配置することもできる、という点に留意すべきである。コンフィギュレーションデータおよび命令は、無線周波識別（ＲＦＩＤ）リーダ動作の詳細を定義づけできるようにする。
【００４７】
図３ａ〜３ｃを参照すると、本発明の実施形態による同時通信動作を可能にする主要構成要素の概略図が例示されている。
【００４８】
ホストシステムはユーザインタフェース（ＵＩ）３０を介してユーザにより動作させられ、このユーザインタフェースを用いてユーザはホストシステム（例えば携帯式端末１００）の機能にアクセスできるようになっている。多重無線機動作を考慮すると、ユーザインタフェース（ＵＩ）により行われる制御は、セルラー通信サブシステム１００と無線周波識別（ＲＦＩＤ）リーダサブシステム１９０との間に介在させられている制御用スケジューラ２００を通して実施される。制御用スケジューラ２００の配置は、一方では、セルラー通信サブシステム１８０ならびに無線周波識別（ＲＦＩＤ）リーダサブシステム１９０を介して実施される実際の無線通信動作についての情報を得ることそして他方では同時多重無線機動作を有効化するべくスケジューリングアルゴリズムにユーザインタフェースを介したユーザ入力およびこの獲得した情報を供給することを可能にする。同様に、制御用スケジューラ２００を通した無線周波識別（ＲＦＩＤ）リーダサブシステム１９０およびセルラー通信サブシステム１８０の有効化された制御動作であるアプリケーション３５によっても制御を行なうことができる。
【００４９】
詳細には、図３ａ〜３ｃが、セルラー通信サブシステム１８０ならびに無線周波識別（ＲＦＩＤ）リーダサブシステム１９０用の別々のアンテナ１８１および１９４、セルラー通信サブシステム１８０および無線周波識別（ＲＦＩＤ）リーダサブシステム１９０の両方に結合された共通のアンテナ１８２およびスイッチ１９６を介して両方のサブシステム１８０、１９０に結合された共通のアンテナ１８２を含めた異なるアンテナ配置を描いている。共通アンテナ１８２は好ましくは、多重周波数アンテナすなわち特性が複数の周波数帯域に適合されているアンテナである。このようなアンテナは、例えば、デュアルバンドおよびトリバンドＧＳＭ端末の分野で知られている。図３ｂの中で示されている実装に関しては、対応する動作無線周波数帯域に従ってそれぞれのサブシステム１８０または１９０に対し異なる周波数帯域の周波数が供給されるような形でアンテナ１８３により受信されたＲＦ信号を分離するべくアンテナ１８３とセルラー通信サブシステム１８０ならびに無線周波識別（ＲＦＩＤ）リーダサブシステム１９０の間の信号経路内に周波数帯域通過フィルタ（図示せず）を含めることができる。図３ｃに示されている実装を参照すると、その時間整列された動作に従ってサブシステム１８０および１９０のいずれかに共通のアンテナ１８２を選択的に結合させるように、ＲＦスイッチ１９６が配置されている。ＲＦスイッチ１９６は同様に、同調可能な帯域通過フィルタ回路としても実装され得る。同調可能な帯域通過フィルタ回路を調整するための信号は、制御用スケジューラ２００により供給される。図３ｃを参照して提案された信号分離は、サブシステム１８０または１９０のうちの１つにより生成されるＲＦ信号がそれぞれ他方のサブシステムに適用されないことから、セルラー通信サブシステム１８０ならびに無線周波識別（ＲＦＩＤ）リーダサブシステム１９０のＲＦ回路にとって有利である。特に、図３ｃに概略的に例示されている実装は、時間整列された形で両方のサブシステム１８０および１９０の動作のスケジューリングの必要性を促す。共通アンテナ１８２はサブシステム１８０および１９０のいずれかに選択的に結合される。ＲＦ信号受信およびＲＦ信号発出は、それぞれセルラー通信サブシステム１８０または無線周波識別（ＲＦＩＤ）リーダサブシステム１９０のいずれかと共に動作可能である。
【００５０】
スケジューラ２００はサブシステム１８０および１９０から分離して配置され得、スケジューラ２００は、多重無線通信サブシステム内部でサブシステム１８０および１９０と合わせて実装され得、スケジューラ２００は、１つまたは複数の個々のハードウェアおよび／またはソフトウェア構成要素に基づいて実装され得、これらのスケジューラ構成要素は、端末１００、セルラー通信サブシステム１８０または無線周波識別（ＲＦＩＤ）リーダサブシステム１９０の一部であり得る。
【００５１】
図４ａを参照すると、本発明の１実施形態によるスケジューリングアルゴリズムの全体的動作シーケンスが例示されている。線形シーケンスとして描かれているものの動作シーケンスは、経時的に反復実施される監視ループアルゴリズムのコアとして理解されるべきである。監視用ループの動作およびセルラー通信サブシステム１８０の実際のセルラー動作周波数についての情報を得る能力に基づいて、無線周波識別（ＲＦＩＤ）リーダサブシステム１９０全体についての制御が行われる。
【００５２】
スケジューラ２００は好ましくは、ユーザまたはアプリケーションが無線周波識別（ＲＦＩＤ）リーダサブシステム１９０の動作を要求した場合に、以下の動作を実施するように配置されている。
【００５３】
動作Ｓ１００では、セルラー通信サブシステム１８０が現在動作している実際の周波数帯域が決定される。実際の周波数帯域の決定は、携帯式端末が現在アイドル動作状態かまたは能動動作状態のいずれで動作しているかとは無関係に実施される。アイドル動作状態、スタンバイ動作状態および能動動作状態という用語がセルラー通信サブシステム１８０の動作性に関連してその動作を扱うものであるという点に留意すべきである。特に、アイドル／スタンバイ動作状態は、ページングおよび測定動作が実施されているもののセルラー通信サブシステム１８０を通していかなるデータまたは音声通信も実施されていない、セルラー通信サブシステム１８０の動作モードを指すものである。能動動作状態では、データおよび／または音声通信は、セルラー通信サブシステムが加入している公衆移動通信ネットワーク（ＰＬＭＮ）の無線アクセスネットワーク（ＲＡＮ）を用いてセルラー通信サブシステム１８０を介して実施される。
【００５４】
動作Ｓ１１０においては、セルラー通信サブシステム１８０が現在８５０ＭＨｚまたは９００ＭＨｚのいずれの周波数帯域で動作しているかがチェックされる（以上で記された周波数帯域の定義を参照のこと）。無線周波識別（ＲＦＩＤ）リーダサブシステム１９０により使用されるＵＨ周波数から適切に離隔したもう１つの周波数帯域でセルラーインタフェースが動作する場合には、干渉が低減した状態でセルラー通信サブシステム１８０および無線周波識別（ＲＦＩＤ）リーダサブシステム１９０の両方の同時動作を操作できると想定することができる。動作シーケンスは動作Ｓ２２０へと分岐し、ここで同時動作が容認される。しかしながら、同時動作の容認は、図３ａおよび３ｂに関して例示として描かれているもののような異なる周波数でのＲＦ信号の同時受信および発出を有効化するＲＦ回路実装と合わせて初めて可能であるという点に留意すべきである。主として、図３ｃを参照して実施されているようなＲＦ回路実装は、このような同時動作を有効化しない。このような場合には、動作Ｓ１６０〜Ｓ２３０を参照して以下に記述する時間的整列を参照すべきである。
【００５５】
実際には、今日市販されているおよび将来市場に出る予定のほぼ全てのセルラー端末が少なくともマルチバンド端末または好ましくはマルチバンド、マルチシステム端末である。標準的なＧＳＭ適合端末は、ＧＳＭ９００／１８００通信またはＧＳＭ８５０／１８００／１９００通信をサポートする。その上、最新のセルラーマルチシステム端末は、ＧＳＭ９００／１８００／１９００通信およびＷＣＤＭＡ２１００（ＵＭＴＳ）通信をサポートする。同じことは、ＣＤＭＡをサポートするセルラー端末、例えばＣＤＭＡ８５０／１９００通信をサポートするｃｄｍａ２０００有効化セルラー端末にもあてはまり、これらは利用可能な周波数組合せの例である。以上で特定したセルラー端末は、例示を目的として記述されており、本発明は、あらゆる特定のセルラーマルチバンドおよび／またはマルチシステム端末に制限されない、ということに留意されたい。
【００５６】
かくして、携帯式端末１００は、８６０〜９６０ＭＨｚの外側でまたは、少なくともＵＨＦ無線周波識別（ＲＦＩＤ）通信が能動的に動作させられている場合には適切な距離で間隔どりされている周波数帯域内で少なくとも、そのアイドルまたは能動動作状態セルラー伝送および受信を実行するよう要求することができる。セルラー通信サブシステム１８０が８５０ＭＨｚまたは９００ＭＨｚの周波数帯域で動作する場合、無線周波数帯域ハンドオーバーが動作Ｓ１３０で達成可能か否かが決定される。ハンドオーバーは、システム内ハンドオーバーおよび／またはシステム間であり得る。ハンドオーバー動作は、それぞれ携帯式端末１００およびセルラー通信サブシステム１８０により要求可能でなくてはならない。
【００５７】
システム内ハンドオーバーは、それぞれ例えばＧＳＭ８５０（米国）またはＧＳＭ９００（欧州）からＧＳＭ１８００（欧州）およびＧＳＭ１９００（米国）へと現在動作しているセルラーシステム規格を保ちながらのもう１つの周波数帯域へのハンドオーバーとして理解されるべきである。
【００５８】
システム間ハンドオーバーは、例えば標準的には、ＧＳＭ９００（欧州）からＷＣＤＭＡ２１００（欧州）へ、またはＧＳＭ８５０（米国）からｃｄｍａ２０００（米国）への周波数帯域ハンドオーバーを含む、もう１つのセルラーシステム規格へのハンドオーバーとして理解されるべきである。システム間ハンドオーバーは同様に、プロトコルハンドオーバーとも呼称され得る。
【００５９】
システム内ならびにシステム間ハンドオーバー手順の実施のための必要条件および必要性を考慮に入れなくてはならないということに留意すべきである。例えば、無線周波数リソースの利用可能性、所望のセルラーシステム規格をサポートするＰＬＭＮの利用可能性、プロバイダが示す制限条件および使用規則などを考慮に入れなくてはならない。必要条件についての詳細は、それぞれのセルラー規格内で定義されたハンドオーバー手順から導出され得ると思われる。
【００６０】
さらに、端末１００（およびセルラー通信サブシステム１８０各々）の要求に基づいて開始されるＧＳＭからＣＤＭＡベースのシステムへのプロトコルハンドオーバーは、かかるプロトコルハンドオーバーを有効化するために現行の規格の適合化を必要とし得る、ということに留意すべきである。特に、ＧＳＭシステムは、セルラー端末がアイドルまたは能動動作状態周波数帯域ハンドオーバーを要求できるようにする１つの要求を特定しない。本発明は、セルラー通信能力を持つ携帯式端末１００の開始時点で要求および応答フレームワークを含めたこのようなハンドオーバー手順を導入する。本発明の１実施形態によるこのようなプロトコルハンドオーバーを含むことがここで提案されている。
【００６１】
ハンドオーバーが成功裏に達成された場合、動作シーケンスは動作Ｓ２２０へと分岐する。同時動作の容認についての前述のコメントがここでもあてはまることに留意されたい。
【００６２】
動作Ｓ１４０においては、無線周波識別（ＲＦＩＤ）サブシステム１９０の無線周波数出力電力は低下させられる。ＲＦ出力電力の削減により、干渉レベルの低減を達成することが可能である。動作Ｓ１５０では、無線周波識別（ＲＦＩＤ）サブシステムの低減したＲＦ出力電力の結果としての干渉が決定される。干渉レベルが予め定義された閾値より低い場合、動作Ｓ２２０で同時動作を容認することができる。同時動作の容認についての前述のコメントがここでもあてはまることに留意されたい。定義された閾値は、優先順位考慮事項（セルラー通信サブシステム１８０または無線周波識別（ＲＦＩＤ）リーダサブシステム１９０の優先順位付け）、サービスの質の考慮事項（帯域幅必要条件、割り込みの自由さ）およびセルラー通信サブシステム１８０を介して現在動作している通信のタイプ（例えばデータパケット、音声またはデータストリーム通信）などに左右され得る。
【００６３】
そうでなければ、動作Ｓ１６０において、セルラー通信サブシステム１８０または無線周波識別（ＲＦＩＤ）リーダサブシステム１９０の時間的に整列された動作を容認できるか否かがチェックされる。特に、セルラー通信サブシステム（例えばそれぞれＧＳＭ、ｃｄｍａ２０００およびＷＣＤＭＡ）の動作プロファイルおよび無線周波識別（ＲＦＩＤ）サブシステムのＲＦ動作関連値に基づいて、（アイドル／スタンバイ動作状態または能動動作状態のいずれかでの）セルラー通信動作と協調した時間的に整列された無線周波識別（ＲＦＩＤ）動作が容認可能であるか否かが導出される。
【００６４】
時間的整合の容認可能性は、特にセルラー通信サブシステム１８０がアイドル／スタンバイ動作状態または能動動作状態のいずれで動作しているか、そしてより特定的には能動動作モードの場合に通信モードが時間的整合を容認するか否か、を含めた複数の条件に左右される。当業者であれば、時間的に整合された動作が可能であるか否かの決定に、以上で紹介された異なるセルラー規格のより綿密な考慮が必要とされないことを認識するだろう。これについての詳細を、図４ｂを参照して以下に記述する動作シーケンスの中で例示する。
【００６５】
動作Ｓ１７０では、チェック動作Ｓ１６０の結果に従って、時間的整合動作を拒絶または容認することができる。拒絶の時点で、動作シーケンスは、動作Ｓ２１０に分岐し、ここで例えばユーザは、それぞれに同時および時間的に整合された動作が利用可能でないことを知らされる。そうでなければ、動作シーケンスは動作Ｓ１８０で継続され、ここでセルラー通信サブシステムの動作モードが決定され、動作モードに応じて、動作シーケンスは動作Ｓ１９０かまたは動作Ｓ２００のいずれかに分岐して、セルラー通信サブシステムのアイドル動作モードならびに能動モードにおける時間的に整合された動作を有効化する。アイドル動作状態ループ動作（Ｓ１９０）および能動動作状態ループ動作（Ｓ２００）についての詳細は、それぞれに図４ｃおよび４ｄを参照しながらさらに細かく分析される。
【００６６】
アイドル動作状態ループ動作（Ｓ１９０）および能動動作状態ループ動作（Ｓ２００）に後続する動作Ｓ２３０においては、時間的に整合された動作についてのチェックの選択的反復を実施することができる。このような反復が望まれる場合、動作シーケンスは動作Ｓ１６０に戻る。選択的反復は、セルラー通信サブシステムの変化する動作モードおよび通信モードを考慮すると、有利であり得る。さらなる詳細は、以下の記述を読んだ時点で明らかとなることだろう。
【００６７】
図４ｂを参照すると、本発明の１実施形態による時間的に整合された動作についてのチェックがより詳しく実施される。さらに、異なるセルラー規格に関する詳細も参照指示されることになる。
【００６８】
動作Ｓ２４０では、セルラー通信サブシステムの動作モードが得られる。動作モードは、アイドル／スタンバイ動作状態または能動動作状態であり得る。動作Ｓ２４５においては、動作シーケンスは、セルラー通信サブシステムの決定された動作モードに応じて分岐する。
【００６９】
動作モードがアイドル動作状態である場合、時間的整合された動作は、動作Ｓ２９５に従って容認可能である。チェック動作は終了される。
【００７０】
アイドル／スタンバイ動作モードの間セルラー通信サブシステムの動作に対し以下の段落内で補説を与えるべきである。前述のセルラー規格の参照が指示されることになる。
【００７１】
ＧＳＭ、ＧＳＭ／ＧＰＲＳ、ＧＳＭ／ＥＤＧＥ：
ＧＳＭ、ＧＳＭ／ＧＰＲＳ、ＧＳＭ／ＥＤＧＥの場合、セルラーシステムは、１つのセル内の異なるセルラー端末間および／または隣接するセル間のデータおよび／または音声通信を分離するために、時分割多元接続（ＴＤＭＡ）を（周波数分割多元接続（ＦＤＭＡ）に加えて）使用する。従って、基本的に、全ての通信動作は、厳密なタイミングですなわちデータ通信バーストの明確な開始および終了タイミングで、スロット化された形で実施される。従って、タイムフレームとタイムスロットが定義づけされる。タイムスロットは１つまたは複数のセルラー端末およびチャンネルに対して選択的に割当てられる。その結果各セルラー端末は、伝送および／または受信がその中で動作可能である独自の規定の間隔を有している。
【００７２】
一般に、セルラー通信サブシステムは、ページングおよび測定関連通信を除いてアイドル動作中にいかなるデータまたは音声通信も動作させない。
【００７３】
アイドル動作モードにおいては、ＧＳＭ／ＥＤＧＥ有効化端末は例えば、無線アクセスネットワーク（ＲＡＮ）、基本局（ＢＳ）、ノードＢなどにより行なわれる可能なページングを発見する目的で、共通制御チャンネル（ＣＣＣＨ）を聴取する。ＣＣＣＨ聴取は同様に、セルラー通信サブシステムの周波数および時間同期をも確保する。ＣＣＣＨは、予め定義されたＤＲＸ（不連続受信）周期、すなわち２〜９の５１マルチフレームに１回（約０．５秒〜２秒の聴取間隔）の周期に従って受信され復号される。標準的には、ＣＣＣＨ上の聴取間隔は約２秒である。さらに、１ページが聴取される毎に最低７個の隣接するセルが監視される。端末は、ニーズがないかぎり、アイドル動作モードでは何も伝送しない。ニーズというのは、ユーザ発信の呼出しに従った呼出し開始、移動局を終端とする呼出しに従った呼出しセットアップ要求（ページングメッセージを用いて指示されるもの）に対する応答、定期的更新などであり得る。使用中のサービスが全く無い場合実際には、場所更新が、携帯式端末のセルラー通信サブシステムによって実施される伝送を必要とする唯一の活動である。従って、一般的に、アイドル動作モード中、ＧＳＭ／ＥＤＧＥ有効化端末は、２秒以内で２〜４スロットについてＣＣＣＨを聴取し、隣接するセルの基地局（ＢＳ）である公衆移動通信ネットワーク（ＰＬＭＮ）の隣接セルについて受信信号レベル測定を実施する。その他の動作は全てかなりまれにしか行なわれず、従ってＣＣＣＨ受信は、ほとんどがこの場合容認済み無線周波識別（ＲＦＩＤ）活動を決定する。
【００７４】
類似の考慮事項は、アイドル動作モードでのＧＳＭおよびＧＳＭ／ＧＰＲＳにもあてはまる。その結果、（ＵＨＦ）無線周波識別（ＲＦＩＤ）通信をその間に実施できるセルラー通信サブシステムの利用可能な非活動周期が存在することになる。その上、アイドル動作モードでのＧＳＭ、ＧＳＭ／ＧＰＲＳまたはＧＳＭ／ＥＤＧＥセルラー通信サブシステムの活動周期ひいては非活動周期も明確である。
【００７５】
ＷＣＤＭＡおよびＣＤＭＡ（ｃｄｍａ２０００）：
ｃｄｍａ２０００およびＷＣＤＭＡ（ＵＭＴＳといったような広帯域符号分割多元接続）は両方共ＣＤＭＡ（符号分割多元接続）方法を多元接続方法として利用する。ＣＤＭＡのベースは、スペクトル拡散変調された信号によって形成される。スペクトル拡散変調された信号は、標準的には元来連続しており、従ってスケジューリングソリューションは上述のＧＳＭ、ＧＳＭ／ＧＰＲＳ、またはＧＳＭ／ＥＤＧＥのケースと異なっている。
【００７６】
アイドル動作モードの間、ｃｄｍａ２０００有効化端末は、それに向けられたメッセージを検出しパイロット強度を測定してアイドルハンドオフの必要性を決定するため、独自のセルおよび隣接するセルの順方向パイロットチャネル（Ｆ−ＰＣＨ）を聴取する。さらに、ｃｄｍａ２０００有効化端末は、考えられる着呼を検出するためページングチャネル（ＰＣＨ）を聴取する。１．２８秒のユニットで２SCIのＦ−ＰＣＨスロットサイクル長（ＳＣＩ：ＳＬＯＴ＿ＣＹＣＬＥ＿ＩＮＤＥＸ）の間独自のスロットを聴取するのに平均約１００ｍｓかかる（例えば標準的に米国ではＳＣＩ＝２（２SCI＝２）そして日本ではＳＣＩ＝２（２SCI＝４））。Ｃｄｍａ２０００ＰＬＭＮが、順方向クィックページングチャネル（ＦＱＰＣＨ）インジケータをサポートする場合、ｃｄｍａ２０００有効化端末は、１分以内におよそ１回起こるスロット化されたエッジの聴取に加えて約２０ｍｓの間そのＦ−ＱＰＣＨインジケータを聴取する。
【００７７】
ＩＳ−２０００リリースＡにおいては、アイドル動作モードは上述のものと少し異なっている。オーバーヘッドメッセージを含むＦ−ＢＣＣＨ（順方向ブロードキャスト制御チャネル）は、アクセスする必要性がある場合または新しいパイロットが検出されアイドルハンドオフの可能性が指示される場合にのみ復号される。セルラー端末にページメッセージを搬送するＦ−ＣＣＣＨ（順方向共通制御チャネル）は、Ｆ−ＱＰＣＨ上にページが検出された場合に復号される。
【００７８】
ＷＣＤＭＡアイドル動作モードの場合、ＷＣＤＭＡ有効化端末は仮にセルにととどまり、システム情報、ページングおよび通知メッセージを聴取し、定期的測定を実施して最強の基地局（ＢＳ）信号および隣接する基地局（ＢＳ、ノードＢなど）も見い出す。供用するセルの信号レベルが少なくともＤＲＸ（不連続受信）サイクル（アイドル動作状態で０．６４秒〜５．１２秒）毎に測定される。周波数内セル測定（アイドル動作状態で１．２８秒〜５．１２秒の測定サイクル）および周波数間セル測定（（Ncarrier−１）×１．２８秒から（Ncarrier−１）×５．１２秒の各サイクル内で各周波数）もある。ページングには、それぞれＰ−ＣＣＰＣＨ（一次共通制御物理チャネル）およびＳ−ＣＣＰＣＨ（二次共通制御物理チャネル）内で送られたＢＣＨおよびＰＣＨ輸送チャネルの聴取が含まれる。ＷＣＤＭＡ有効化端末は、同様に、アイドル動作状態における不連続受信（ＤＲＸ）も使用でき、その場合、ＷＣＤＭＡ有効化端末は、ページングインジケータチャネル（ＰＩＣＨ）からの１つのページングインジケータしか監視する必要がない。これは各ＤＲＸサイクル内で一回起こる。当然のことながら、端末がセル（端末発信呼出し）を開始した場合、ＲＡＣＨ（ランダムアクセスチャネル）上でメッセージが送られる。
【００７９】
その結果、（ＵＨＦ）無線周波識別（ＲＦＩＤ）通信がその間に実施され得るセルラー通信サブシステムの利用可能な非活動周期が存在する。その上、アイドル動作モードでのＣＤＭＡまたはＷＣＤＭＡセルラー通信サブシステムの活動周期ひいては非活動周期も明確である。
【００８０】
図４ｂに戻って参照すると、動作モードが能動動作状態である場合、時間的に整合された動作の容認可能性またはその拒絶には、異なるセルラーシステム規格をより詳細に考慮する必要がある。
【００８１】
動作Ｓ２５０では、セルラー通信サブシステムがＧＳＭ、ＧＳＭ／ＧＰＲＳまたはＧＳＭ／ＥＤＧＥ通信と共に動作可能であるか否かがチェックされ、チェックが一致した場合、タイムスロット割当てが時間的に整合された動作を有効化するか否かが見極められる。
【００８２】
前述の通り、ＧＳＭ、ＧＳＭ／ＧＰＲＳまたはＧＳＭ／ＥＤＧＥ有効化セルラーシステムは、１つのセル内の異なるセルラー端末間および／または隣接するセル間のデータおよび／または音声通信を分離するために、時分割多元接続（ＴＤＭＡ）を（周波数分割多元接続（ＦＤＭＡ）に加えて）使用する。従って、基本的に、全ての通信動作は、厳密なタイミングですなわちデータ通信バーストの明確な開始および終了タイミングで、スロット化された形で実施される。このことはすなわち、時間的に整合された動作の容認可能性または拒絶の決定には、セルラーシステムが不活動状態である（１つのフレームの１つまたは複数のタイムスロットがデータの伝送または受信に割当てられていないという意味での不活動状態）か否かが考慮されなくてはならない、ということを意味している。
【００８３】
音声呼出しまたはＧＰＲＳデータ呼出しのいずれかの間、セルラー通信サブシステムは、データアップリンクならびにデータダウンリンク伝送のために割当てられているＴＤＭＡ（時分割多元接続）フレームのそのアップリンクおよびダウンリンクスロットの間活動状態にある。両方向（アップリンクおよびダウンリンク）でセルラー通信サブシステムに対し割当てられたスロットが２つ以上ある可能性がある。さらに、セルラー通信サブシステムは、（８つのタイムスロットを含む）１つのＴＤＭＡフレームの中で１回、隣接する基地局（ＢＳ、ノードＢなど）を一度に一局ずつ監視する。本発明の概念によれば、ＧＳＭ、ＧＳＭ／ＧＰＲＳまたはＧＳＭ／ＥＤＧＥセルラー通信サブシステムと並べて配置された無線周波識別（ＲＦＩＤ）リーダサブシステムは、上述のようにセルラー通信サブシステムの活動的周期中の搬送波伝送を回避しなくてはならない。
【００８４】
本発明の１実施形態によれば、図５ａは、無線周波識別（ＲＦＩＤ）リーダサブシステムと時間的に整合された形で動作させられるＧＳＭ／ＥＤＧＥサブシステムのアクティビティダイヤグラムを典型的に例示している。特に、このアクティビティダイヤグラムは、両方のサブシステムの活動周期の織り混ぜを例示的に示しているＧＳＭ／ＥＤＧＥデュアル転送モード（ＤＴＭ）ケースの場合の活動状態を例示している。図５ａは、ダウンリンク通信（ＲＸ）のための２つのタイムスロット（ＲＸタイムスロット＃１および＃２）およびアップリンク通信（ＴＸ）のための１つのタイムスロット（ＴＸタイムスロット＃２）の割当てを例示する。さらに、（タイムスロット＃０〜＃７を含む）１つのＴＤＭＡの中で１回、測定動作に基づいて、隣接する基地局（ＢＳ、ノードＢ、など）の１つが監視される。アップリンク通信チャネルのＴＤＭＡ構造に関しては、測定動作は一例として、タイムスロット＃４とタイムスロット＃５との間に介在させられる。このアップリンクおよびダウンリンクタイムスロット割当てが一例であるという点に留意すべきである。アップリンク通信および／またはダウンリンク通信のためのその他のタイムスロット割当てを使用することも可能である。アップリンクおよびダウンリンク通信ならびに測定動作に従って、１ＴＤＭＡフレームにつき２つの非活動周期を識別することができる。すなわち、ダウンリンク動作とアップリンク動作の間に介在させられた（実質的にＴＸタイムスロット＃０および＃１を含む）第１の非活動周期および、アップリンク動作と測定動作との間に介在させられた（実質的にＴＸタイムスロット＃３およびＴＸタイムスロット＃４の一部分を含む）第２の非活動周期である。セルラー通信サブシステムのこれらの非活動周期は、ＲＦＩＤリーダ動作ＣＷ（連続波）ウインドウに関して図５ａに一例として例示されているように無線周波識別（ＲＦＩＤ）リーダサブシステムを動作させるために応用可能である。
【００８５】
当業者であれば、図５ａの例示に基づいて、ＴＤＭＡシステム内でのタイムスロット割当てに応じて１つまたは複数の非活動周期がスロット化された時間構造内で利用可能であり得るということがわかる。セルラー通信サブシステムのこれらの非活動周期は、セルラー通信サブシステムおよび無線周波識別（ＲＦＩＤ）サブシステムにより生成される干渉に苦しむことを恐れる必要なく無線周波識別（ＲＦＩＤ）サブシステムを動作させるために応用可能である。
【００８６】
アップリンクおよびダウンリンク通信のためのタイムスロットの割当ては、端末のセルラー通信サブシステムにより要求可能であるという点にも留意すべきである。その結果、両方のサブシステムの時間的に整合された動作を有効化する非活動周期を得るために、適切なタイムスロットを要求することができる。適切なタイムスロット割当ての要求には、セルラー通信サブシステムのアップリンクおよび／またはダウンリンクデータ速度の低減が伴う可能性があるが、この要求により有利にも時間的に整合された動作が有効化される。
【００８７】
その結果として、タイムスロット割当てに応じて、両方のサブシステムの時間的に整合された動作が容認または拒絶され得る。第１の容認のケースでは、動作シーケンスは動作Ｓ２９５で続行するが、一方後者の拒絶のケースでは、動作シーケンスは動作Ｓ２９０で続行する。動作Ｓ２９０では、時間的に整合された動作は拒絶される。
【００８８】
動作Ｓ２６０では、セルラー通信サブシステムがＷＣＤＭＡ通信と共に動作可能であるか否かがチェックされ、チェックが一致した場合には、動作Ｓ２６５で、その通信モードが時間的に整合された動作で応用可能であるか否かが決定される。
【００８９】
前述の通り、ＷＣＤＭＡ（ＵＭＴＳといったような広帯域符号分割多元接続）はＣＤＭＡ（符号分割多元接続）方法を多元接続方法として利用する。ＣＤＭＡのベースは、スペクトル拡散変調された信号によって形成される。スペクトル拡散変調された信号は、標準的には元来連続しており、従ってスケジューリングソリューションは上述のＧＳＭ、ＧＳＭ／ＧＰＲＳ、またはＧＳＭ／ＥＤＧＥのケースと異なっている。
【００９０】
ＷＣＤＭＡ能動動作モードで音声またはデータ呼出しを有する間に、セルラー通信サブシステムは、一見したところ同時である無線周波識別（ＲＦＩＤ）リーダ動作を有効化するために圧縮モードを使用することができる。圧縮モード通信の時間構造例を示す図５ｂを参照すべきである。ＷＣＤＭＡは多元接続方法としてＣＤＭＡ（符号分割多元接続）方法を利用するが、物理層中の異なるチャネルを分離するために、時分割多元化も同様に適用される。時分割多元化構造は、標準的にタイムフレーム構造に基づいており、ここで各タイムフレームは１５のタイムスロットを含む。
【００９１】
圧縮（またはスロット化）モードでは、セルラー通信サブシステムが通信する対象である基地局（ＢＳ、ノードＢなど）は、端末のセルラー通信サブシステムにより実施されるセル間測定を有効化するためダウンリンクおよびアップリンクの両方で伝送ギャップを割り当てる。かかるセル間測定は、端末のセルラー通信サブシステムの周波数間ハンドオーバーのために必要とされ、異なるＷＣＤＭＡ搬送波周波数で実施される。この測定を実施するために複数のタイムスロットを割当てることができる。これらの割り当てられたスロットは、１つのフレームの中央にあるかまたは２つのフレーム上に広がっている。
【００９２】
無線周波識別（ＲＦＩＤ）リーダ動作を有効化するためには、端末（およびサブシステムのそれぞれ）によって実施されると想定されている測定のうちの１つ、一部分または全てを省略して、無線周波識別（ＲＦＩＤ）サブシステムの動作のために適用可能な充分な非活動時間を残す。伝送ギャップ長（ＴＧＬ）およびそのタイミングは、セルラー無線アクセスネットワーク（ＲＡＮ）により決定される。圧縮されたフレームは、アップリンクおよびダウンリンクの両方において時間的に同時である。特定された伝送ギャップ長（ＴＧＬ）は、３、４、７、１０および１４スロットすなわち２ｍｓ〜９．３ｍｓである。
【００９３】
圧縮モード動作は、拡散率の減少（例えば２：１での）、ビットのパンクチャー（すなわち、伝送すべき情報量の減少を結果としてもたらす）または（例えば通信のためにより少ないタイムスロットしか必要とならないように）より上層でのスケジューリング変更を含めた、異なる方法で達成可能である。
【００９４】
図５ｂ（１）を参照すると、圧縮されたフレームにおいて、伝送ギャップ長を定義する＃Ｎfirst〜＃Ｎlastまでのスロットはデータ伝送用に使用されない。一例として例示されているように、即時伝送電力は、処理利得の削減の影響を受けないサービス（ビットエラー率、フレームエラー率など）の質を保つために圧縮フレーム内で増大させられる。電力増大量は、以上で例示されている伝送時間削減方法により左右される。圧縮すべきフレームは、ネットワークにより指示される。主として、圧縮モードでは、圧縮フレームは周期的に、またはオンデマンドで要求されて、発生し得る。圧縮フレームのレートおよびタイプは、可変的であり、環境および測定必要条件に応じて左右される。
【００９５】
図５ｂ（２）〜（４）を参照すると、アップリンクおよびダウンリンク圧縮フレームのための異なるフレーム構造が例示されている。特にダウンリンク圧縮フレーム構造を参照すると、２つの異なるタイプのフレーム構造が定義されている。タイプＡ（図５ｂ（３）参照）は、伝送ギャップ長（ＴＧＬ）を最大にし、一方タイプＢは、電力制御のために最適化される。フレーム構造タイプＡまたはＢは、ダウンリンクスロット書式タイプＡまたはＢとは独立したさらに高い層によりセットされる。タイプＡのフレーム構造では、伝送ギャップ内の最後のスロットのパイロットフィールドが伝送される。伝送は、残りの伝送ギャップの間にオフ切換えされる。タイプＢのフレーム構造では、伝送ギャップ内の第１のスロットのＴＰＣフィールドおよび伝送ギャップ内の最後のスロットのパイロットフィールドが伝送される。伝送は残りの伝送ギャップの間にオフ切換えされる。
【００９６】
圧縮モード通信、伝送ギャップ長（ＴＧＬ）およびそのタイミングは、セルラー無線アクセスネットワーク（ＲＡＮ）によって決定されるが、当業者であれば、端末のセルラー通信サブシステムを有効化して圧縮モード通信を命令しその特性（長さ、タイミング）を決定するように想定することもできる、ということがわかるだろう。
【００９７】
その結果、両方のサブシステムの時間的に整合された動作を有効化する非活動周期を得るため、端末により圧縮モード通信が要求される可能性がある。もともと用意された測定動作は削除される。圧縮モード通信の要求には、セルラー通信サブシステムのアップリンクおよび／またはダウンリンクデータ速度の低下が伴う可能性があるが、この要求により有利にも時間的に整合された動作が有効化される。
【００９８】
その結果、通信モードに応じて、両方のサブシステムの時間的に整合された動作が容認または拒絶され得る。第１の容認のケースでは、動作シーケンスは動作Ｓ２９５で続行するが、一方後者の拒絶のケースでは、動作シーケンスは動作Ｓ２９０で続行する。動作Ｓ２９０では、時間的に整合された動作は拒絶される。
【００９９】
動作Ｓ２７０では、セルラー通信サブシステムがｃｄｍａ２０００通信と共に動作可能であるか否かがチェックされ、チェックが一致した場合には、動作Ｓ２７５で、その通信モードが時間的に整合された動作で応用可能であるか否かが決定される。
【０１００】
前述の通り、ｃｄｍａ２０００は同様にＣＤＭＡ（符号分割多元接続）方法を多元接続方法として利用する。ＣＤＭＡのベースは、スペクトル拡散変調された信号によって形成される。スペクトル拡散変調された信号は、標準的には元来連続しており、従ってスケジューリングソリューションは上述のＧＳＭ、ＧＳＭ／ＧＰＲＳ、またはＧＳＭ／ＥＤＧＥのケースと異なっている。
【０１０１】
ｃｄｍａ２０００有効化端末の活動は一般に、能動動作状態にある間連続している。唯一の例外は、不連続伝送（ＤＴＸ）モードである。不連続伝送（ＤＴＸ）モードにおいては、端末のセルラー通信サブシステムの活動は、逆方向リンク（すなわちアップリンク方向）上での公称値のわずか５０％である。同様にして、順方向リンク（すなわちダウンリンク方向）のために利用可能な不連続伝送も存在する。アップリンクおよびダウンリンクでの伝送および受信のこれらのギャップを用いて、無線周波識別（ＲＦＩＤ）動作を有効化することができる。
【０１０２】
しかしながら、不連続伝送（ＤＴＸ）モードがＦ−ＤＣＣＨ（ｃｄｍａ２０００内の順方向専用制御チャネル）およびＲ−ＤＣＣＨ（逆方向専用制御チャネル）でのみ容認されるが、これらのチャネル上では音声データを転送できない、ということに留意すべきである。
【０１０３】
必要とあらば、ｃｄｍａ２０００有効化端末により不連続伝送（ＤＴＸ）モードが要求され得る。不連続伝送（ＤＴＸ）モードの通信の要求には、セルラー通信サブシステムのアップリンクおよび／またはダウンリンクデータ速度の低下が伴う可能性があるが、この要求により有利にも時間的に整合された動作が有効化される。
【０１０４】
その結果として、不連続伝送（ＤＴＸ）モードが利用可能かつ適用可能であるか否かに応じて、両方のサブシステムの時間的に整合された動作が容認または拒絶され得る。容認の場合には、動作シーケンスは動作Ｓ２９５で続行するが、一方拒絶の場合には、動作シーケンスは動作Ｓ２９０で続行する。動作Ｓ２９０では、時間的に整合された動作は拒絶される。
【０１０５】
当業者であれば、上述の実施されたＴＤＭＡベースのセルラー通信サブシステムおよびＣＤＭＡベースのセルラー通信サブシステムに基づいて記述されている本発明の概念が、それぞれその他のＴＤＭＡおよびＣＤＭＡベースの通信サブシステムでも適用可能であるということがわかるだろう。このことはすなわち、本発明の実施形態による無線周波識別（ＲＦＩＤ）リーダサブシステムのスケジューリングが上述のセルラー通信サブシステムに制限されるべきではないということを意味している。
【０１０６】
一般に、無線通信システムには、それぞれの無線通信サブシステムの電力消費の低減を可能にするように、非活動周期が備えられていることが多い。電力消費という考慮事項は特に、制限された全体的エネルギー容量しか提供しないバッテリおよび／またはアキュムレータによる供給を受ける（端末１００といったような）携帯式端末を対象としている。非活動周期の間、無線通信サブシステムは電源が切られるかまたは少なくとも電力節約モードで動作させられる。
【０１０７】
セルラー通信サブシステムおよび無線周波識別（ＲＦＩＤ）リーダサブシステムの時間的に整合された動作を有効化するために要求される制約条件および必要性に関する以上の論述を考慮して、ここで、本発明の１実施形態によるアイドル／スタンバイ動作状態ループ手順の動作シーケンスを概略的に示す図４ｃを参照するべきである。アイドル／スタンバイ動作状態ループ手順は、図４ａを参考にして以上で記述された全体的動作シーケンスの一部である。
【０１０８】
標準的には、アイドル／スタンバイ動作モードの間、端末のセルラー通信サブシステムは、通信接続を確立すべきか否かを知る目的で、それぞれにＰＬＭＮおよび基地局（ＢＳ、ノードＢなど）から来るページングメッセージを聴取する。従って、無線周波識別（ＲＦＩＤ）有効化セルラー端末がオンに切換えられた場合またはセルラー端末の無線周波識別（ＲＦＩＤ）リーダ機能性が有効化された場合、時間的に整合された動作のスケジューリングが、本発明の１実施形態による後続する監視用ループ動作に従って動作し始める。
【０１０９】
動作Ｓ３００では、無線アクセスネットワーク（ＲＡＮ）または基地局（ＢＳ、ノードＢなど）に対するセルラー通信サブシステムの取付け時点またはその後定期的にアイドル／スタンバイ状態の間に、セルラー通信サブシステムは、セルラー通信サブシステムが割当てされたページンググループについてひいては同様にページングタイミングについての情報を含む１つまたは複数のシステム情報メッセージを受信する。
【０１１０】
動作Ｓ３１０では、無線アクセスネットワーク（ＲＡＮ）または基地局（ＢＳ、ノードＢなど）に対するセルラー通信サブシステムの取付け時点またはその後定期的にアイドル／スタンバイ状態の間に、セルラー通信サブシステムが、同様に、隣接する基地局の潜在的信号レベル測定についてのシステム情報メッセージタイミング情報を受信する。
【０１１１】
動作Ｓ３２０では、ページングインスタンスに関する情報ならびに測定インスタンスに関する情報を得た時点で、スケジューラに対して情報が供給される。ページングインスタンスおよび測定インスタントに関するタイミング情報に基づいて、スケジューラは、正確なページングおよび測定インスタントおよびそれらの長さが知られているような形でページングおよび測定タイミングに同期化される。その結果、スケジューラは、セルラー通信サブシステムの活動周期および非活動周期の正確なタイミング、特にセルラー通信サブシステムの活動周期および非活動周期の開始および終了タイミングについての情報を受ける。
【０１１２】
動作Ｓ３３０では、スケジューラおよび／または無線周波識別（ＲＦＩＤ）リーダサブシステムのさらなる設定が動作可能である。以下の記述を参照すべきである。
【０１１３】
動作Ｓ３４０では、無線周波識別（ＲＦＩＤ）リーダサブシステムの動作を開始することができる。端末に対するユーザ入力の受信時点または端末上で実行可能なアプリケーションにより開始信号が生成された時点で、開始をひき起こすことができる。開始の指示の時点で、動作シーケンスは動作Ｓ３５０で続行し、そうでなければ動作シーケンスは動作Ｓ３６０へと分岐する。
【０１１４】
動作Ｓ３５０で、スケジューラは、セルラー通信サブシステムの非活動周期の間に動作が実施されるような形で無線周波識別（ＲＦＩＤ）リーダ動作を整合させる。非活動周期は、ページングインスタンスに関する情報ならびに測定インスタンスに関する情報に基づいて決定される（動作Ｓ３２０を参照のこと）。
【０１１５】
動作Ｓ３６０では、時間的に整合された動作のスケジューリングに関する新しい情報（すなわちページングインスタンス関連情報および／または測定インスタンス関連情報）が、例えば端末のセルラー通信サブシステムにより無線アクセスネットワーク（ＲＡＮ）から受信されたシステムメッセージから入手可能であるか否かについてチェックされる。新しい情報が入手可能である場合には、動作シーケンスは動作Ｓ３００に戻り、そうでなければ動作シーケンスは動作Ｓ３７０で続行する。
【０１１６】
動作Ｓ３７０では、無線周波識別（ＲＦＩＤ）サブシステムの時間的に整合された動作が反復的に実施される。動作シーケンスは、例えば無線周波識別（ＲＦＩＤ）サブシステムの動作が複数の単一の無線周波識別（ＲＦＩＤ）サブシステム動作に分割された場合に、動作Ｓ３４０または動作Ｓ３５０に戻ることができる。
【０１１７】
セルラー通信サブシステムの動作モードが変わり得るという点に留意すべきである。このことはすなわち、無線アクセスネットワーク（例えばページングメッセージ、モバイル終端呼出しセットアップメッセージなど）の指示時点でまたはユーザーの要求（例えばモバイル発信呼出しセットアップメッセージ）に応答して、セルラ通信サブシステムはアイドル／スタンバイ動作モードから能動動作モードにへと変わり得る。能動動作モードへの動作モードの変更の場合、動作シーケンスは、能動動作モードでの時間的に整合された動作の容認可能性をチェックする目的で、図４ａに関して記述されたＳ１６０まで戻り得る。
【０１１８】
セルラー通信サブシステムおよび無線周波識別（ＲＦＩＤ）リーダサブシステムの時間的に整合された動作を有効化するために要求される制約条件および必要性についての以上の論述を考慮して、本発明の１実施形態による能動動作状態ループ手順の動作シーケンスを概略的に示す図４ｄをも参照すべきである。能動動作状態ループ手順は、図４ａを参照して以上で記述された全体的動作シーケンスの一部分である。
【０１１９】
能動動作状態（すなわち音声呼出しまたはデータ呼出しのいずれかが現在実施されている）または実際の能動動作状態として類似のタイプの活動（例えばＧＳＭ／ＧＰＲＳでの準備完了状態）を要求する状態の場合、セルラー通信サブシステム活動との重複を防ぐような形で無線周波識別（ＲＦＩＤ）サブシステム動作をスケジューリングしなくてはならない。本発明の１実施形態によれば、能動動作状態には、以下の動作が含まれる。
【０１２０】
動作Ｓ４００およびＳ４１０では、通信規格およびモードならびに活動タイミング関連情報が得られる。特に端末が、能動（またはそれに類似する）動作状態に入った場合または、後に能動動作状態の間に定期的に、セルラー通信サブシステムの通信規格およびモード（ＧＳＭ、ＧＳＭ／ＧＰＲＳまたはＧＳＭ／ＥＤＧＥ、ＷＣＤＭＡ圧縮モード、ｃｄｍａ２０００ＤＴＸモードなど）およびセルラー通信サブシステムの活動タイミング関連情報が決定される。ＧＳＭ、ＧＳＭ／ＧＰＲＳ、ＧＳＭ／ＥＤＧＥの場合における能動スロットタイミング、ＷＣＤＭＡ圧縮モードにおけるＴＧＬタイミング、またはｃｄｍａ２０００における不連続伝送（ＤＴＸ）タイミングを含む活動タイミング関連情報はセルラー通信サブシステムから得られる。図４ｂを参照して以上で示されている論述を参照すべきである。
【０１２１】
動作Ｓ４２０では、タイミング関連情報を得た時点で、情報はスケジューラに供給される。ページングインスタントおよび測定インスタントについてのタイミング情報に基づいて、スケジューラは、これらの非活動周期およびその長さがわかるような形でタイミング関連情報に基づいて同期化される。その結果、スケジューラは、セルラー通信サブシステムの活動周期および非活動周期の正確なタイミング、特にセルラー通信サブシステムの活動周期および非活動周期の開始および終了タイミングについての情報を受ける。
【０１２２】
動作Ｓ４３０では、スケジューラおよび／または無線周波識別（ＲＦＩＤ）リーダサブシステムのさらなる設定が動作可能である。以下の記述を参照すべきである。
【０１２３】
動作Ｓ４４０では、無線周波識別（ＲＦＩＤ）リーダサブシステムの動作を開始することができる。端末に対するユーザ入力の受信時点または端末上で実行可能なアプリケーションにより開始信号が生成された時点で、開始をひき起こすことができる。開始の指示の時点で、動作シーケンスは動作Ｓ４５０で続行し、そうでなければ動作シーケンスは動作Ｓ４６０へと分岐する。
【０１２４】
動作Ｓ４５０で、スケジューラは、セルラー通信サブシステムの非活動周期の間に動作が実施されるような形で無線周波識別（ＲＦＩＤ）リーダ動作を整合させる。非活動周期は、タイミング関連情報に基づいて決定される（動作Ｓ４２０を参照のこと）。
【０１２５】
動作Ｓ４６０では、時間的に整合された動作のスケジューリングに関する新しい情報（すなわちページングインスタンス関連情報および／または測定インスタンス関連情報）が、例えば端末のセルラー通信サブシステムにより無線アクセスネットワーク（ＲＡＮ）から受信されたシステムメッセージから入手可能であるか否かについてチェックされる。新しい情報が入手可能である場合には、動作シーケンスは動作Ｓ３００に戻り、そうでなければ動作シーケンスは動作Ｓ４７０で続行する。
【０１２６】
動作Ｓ４７０では、無線周波識別（ＲＦＩＤ）サブシステムの時間的に整合された動作が反復的に実施される。動作シーケンスは、例えば無線周波識別（ＲＦＩＤ）サブシステムの動作が複数の単一の無線周波識別（ＲＦＩＤ）サブシステム動作に分割された場合に、動作Ｓ４４０または動作Ｓ４５０に戻ることができる。
【０１２７】
セルラー通信サブシステムの動作モードが変わり得るという点に留意すべきである。このことはすなわち、無線アクセスネットワークの指示時点でまたはユーザの要求に応答して、セルラー通信サブシステムは能動動作モードからアイドル／スタンバイ動作モードへと変わり得ることを意味する。アイドル／スタンバイ動作モードへの動作モードの変更の場合、動作シーケンスは、アイドル／スタンバイ動作モードでの時間的に整合された動作の容認可能性をチェックする目的で、図４ａに関して記述されたＳ１６０まで戻ることができる。そうでなければ図４ｃに関して記述された動作Ｓ３００へと直接分岐し得る。
【０１２８】
スケジューリングアルゴリズムの以上の記述は、両方のサブシステムの主要な時間的整合を有効化するために満たされなくてはならない必要条件に焦点があてられている。以下では、無線周波識別（ＲＦＩＤ）リーダサブシステムの最適化された動作について記述するものとする。動作性がその間容認可能である非活動周期中に無線周波識別（ＲＦＩＤ）リーダサブシステムの効果的な動作を有効化するために最適化が有利である。本発明の１実施形態によれば、無線周波識別（ＲＦＩＤ）リーダサブシステムの動作を制御し設定するために、設定および制御インタフェース好ましくはアプリケーションプログラムインタフェース（ＡＰＩ）が備えられている。無線周波識別（ＲＦＩＤ）リーダサブシステムに対する設定および制御インタフェースは、無線周波識別（ＲＦＩＤ）リーダサブシステムのデータインタフェースを通したデータおよびコマンド交換により実装可能である。無線周波識別（ＲＦＩＤ）リーダサブシステムの動作を同期化するために利用可能な上述の特定的デジタル入出力トリガー信号端末は、無線周波識別（ＲＦＩＤ）リーダサブシステムのウォッチドッグ論理に対する別の信号入力端末として実現可能であり、そうでなければ代替的には、そのデータインタフェースを通して無線周波識別（ＲＦＩＤ）リーダサブシステムのウォッチドッグ論理に対してトリガー信号を供給することもできるという点に留意すべきである。トリガー信号との同期性を確保するためには、別のトリガー信号端末が好ましい可能性がある。
【０１２９】
無線周波識別（ＲＦＩＤ）リーダサブシステムの設定可能性は好ましくはスケジューラの制御下にあり、このスケジューラは同様に無線周波識別（ＲＦＩＤ）リーダサブシステムの動作をもトリガーする。アイドルおよび能動動作モードループ手順の動作Ｓ３３０およびＳ４３０をそれぞれ再度参照すべきである。
【０１３０】
一般に、以上で詳述したスケジューリングメカニズムでは、セルラー通信サブシステムが動作している間、すなわち例えばセルラー通信サブシステムがページングメッセージを受信し、測定を実施し、データパケットを送信または受信し、あるいはランダムアクセスデータバーストを送信する間にスケジューラが無線周波識別（ＲＦＩＤ）リーダサブシステムが動作するのを妨げるような形で、セルラー通信サブシステムの活動周期および非活動周期を識別するために、タイミング関連情報が使用されている。なかでも、スケジューラは、単一のＲＦ発出の最大持続時間をセルラー通信サブシステムの非活動周期よりも大きくないものとして設定するように配置されており、非活動周期の予期された開始と対応して無線周波識別（ＲＦＩＤ）リーダサブシステムの動作をトリガーする。スケジューラは、無線周波識別（ＲＦＩＤ）リーダサブシステムの同期化されたＲＦ活動をトリガーするために、特定されたデジタル出入力トリガー信号端末を使用する。
【０１３１】
本発明の１実施形態による図５ａに示されているＧＳＭ／ＥＤＧＥＤＴＭ活動に基づく活動時間シーケンスの一例を示す図６ａを参照すべきである。例示方法として、第１の活動周期△ａＩと第２の活動周期△ａＩＩが識別され、第１の非活動周期△ｎＩと第２の非活動周期△ｎＩＩが識別されている。非活動周期に従って、無線周波識別（ＲＦＩＤ）リーダサブシステムのＲＦ信号周期は、無線周波識別（ＲＦＩＤ）リーダサブシステムのアンテナからの信号電力レベル、精度および無欠性必要条件に適合した、ＲＦ発信を意味するＲＦＩＤリーダＲＦ活動ウインドウ（図６ａの凡例参照）として表わされている。
【０１３２】
無線周波識別（ＲＦＩＤ）リーダサブシステムのＲＦ活動を開始させるためにトリガー信号をセットするための最適化された時間は長さ△Iであり、これが立上り持続時間△Iを表わす。立上り持続時間△Iは、無線周波識別（ＲＦＩＤ）リーダサブシステムのアンテナから無線周波識別（ＲＦＩＤ）リーダシステムの信号電力レベル、精度および無欠性必要条件に適合してＲＦ信号を伝送し始めるまでに、トリガー信号の受信以降無線周波識別（ＲＦＩＤ）リーダサブシステムが必要とするものである。なかでも、立上り持続時間△Iは、ＰＬＬ（位相ロックループ）の整定、マイクロコントローラ／論理ウォームアップ、ＲＦインタフェースの整定時間および／またはＲＦ活動前のその他の必要性によってひき起こされる。
【０１３３】
好ましくは、セルラー通信サブシステムの活動周期の終りと無線周波識別（ＲＦＩＤ）リーダサブシステムのＲＦ信号発出の始めの間で、付加的なガード持続時間△IIを考慮に入れるべきである。
【０１３４】
立上り持続時間△Iおよびガード持続時間△IIを考慮する場合、無線周波識別（ＲＦＩＤ）リーダサブシステムの動作を開始するトリガー信号はセルラー通信サブシステムの活動周期の終りより△I−△II前にセットされるべきである。活動周期の終りならびにセルラー通信サブシステムの非活動周期の始めに一致するものとして基準時点０を任意に定義する場合、トリガー信号は、時点ＴI＝△II−△I＜０でセットされるべきである。無線周波識別（ＲＦＩＤ）リーダサブシステムからのＲＦ信号の発出は、相応して、ガード持続時間△IIに等しい時点ＴII＝△II＞０で始まる。
【０１３５】
無線周波識別（ＲＦＩＤ）リーダサブシステムのＲＦ活動を停止させるためにトリガー信号をリセット（リリース）するための最適化された時間は、長さ△IIIであり、これが立下り持続時間△IIIを表わす。立下り持続時間△IIIは、リセットされたトリガー信号の検出から、無線周波識別（ＲＦＩＤ）リーダサブシステムによって生成されるＲＦ信号発出の終結までに、無線周波識別（ＲＦＩＤ）リーダサブシステムにより必要とされる。ＲＦ発生は、セルラー通信サブシステムの活動の開始前に、従って同様に時刻０’および周期△IIIの終り前に終結されることになる。立上り持続時間△Iとは対照的に、ＲＦ信号の電力レベル、精度および無欠性は出力段が無効化され無線周波識別（ＲＦＩＤ）リーダサブシステムのアンテナからのＲＦ発出が全くないことから、ＲＦ活動の終結において△IIIの間ＰＬＬ（位相ロックループ）、ＲＦインタフェースなど充分なセッティング時間を確保する必要は全く無い。
【０１３６】
立下り持続時間を考慮する場合、無線周波識別（ＲＦＩＤ）リーダサブシステムの動作を終結するリセットされたトリガー信号は、セルラー通信サブシステムの非活動周期の終りより△III前にセットされるべきである。非活動周期の終りならびにセルラー通信サブシステムの活動周期の始めに一致するものとして基準時点０を任意に定義する場合、トリガー信号は、時点ＴIII＝−△III＜０’でセットされるべきである。かくしてＲＦ信号の発出は、相応して、基準時点０’より前に終わる時間中に終結し、そのためセルラー活動との干渉は回避されることになる。
【０１３７】
当業者であれば、ガード持続時間△IIを調整しかつ立上り持続時間△Iならびに立下り持続時間△Iを考慮することにより、無線周波識別（ＲＦＩＤ）リーダサブシステムの動作周期を最適化できるということを認識するであろう。立上り持続時間△Iならびに立下り持続時間△IIIは標準的には、利用された無線周波識別（ＲＦＩＤ）リーダサブシステムに特定的である。
【０１３８】
無線周波識別（ＲＦＩＤ）リーダサブシステムのさらなるパラメータが、同様に、無線周波識別（ＲＦＩＤ）リーダサブシステムの動作の調整および／または最適化を有効化し得る。無線周波識別（ＲＦＩＤ）リーダサブシステムの動作の最適化および調整が、セルラー通信サブシステムの非活動周期を有効に利用し、無線周波識別（ＲＦＩＤ）リーダサブシステムの動作を特定の非活動周期の長さに調整するために有利である。この調整および／または最適化には、無線周波識別（ＲＦＩＤ）リーダサブシステムのパラメータのいくつかの修正が含まれ得る。
【０１３９】
スタティック情報：
スケジューラは、少なくとも無線周波識別（ＲＦＩＤ）リーダサブシステムのスリープクロックサイクルおよび無線周波識別（ＲＦＩＤ）リーダサブシステムのＲＦ活動前およびＲＦ活動後の必要とされる立上りおよび立下り持続時間についての情報を受けているべきである。同様に、以下に列挙されているさらなるパラメータの最小、デフォルトおよび最大値ならびに単位に関する情報も、スケジューラが利用できなくてはならない。この情報は標準的には、データシートで、利用される無線周波識別（ＲＦＩＤ）リーダサブシステムのメーカーにより開示される。この情報は好ましくは、スケジューラ内に記憶されるかまたは必要な場合にスケジューラがアクセスできる端末内に記憶される。
【０１４０】
セミスタティック規格関連情報：
とりわけ、スケジューラは、ＲＦ活動の持続時間に関連する以下のパラメータ値を得ることそして任意にはそれを修正することができる。ＥＰＣグローバル規格世代２を参照すべきである。以下のパラメータが関連性を有する可能性があり、図６ｂ〜６ｄを参照しながらこれらについて記述することにする。
【０１４１】
図６ｂを参照すると、質問ＲＦ信号のパワーアップならびにパワーダウンＲＦ包絡線が描かれている。以上の立上り持続時間および立下り持続時間についての論述を参照すべきである。図６ｂに例示されている上昇時間Ｔrおよび下降時間Ｔfは、立上り持続時間△Iおよび立下り持続時間△IIIにより含まれている。しかしながら、図６ｂが単に無線周波識別（ＲＦＩＤ）リーダサブシステムのＲＦインタフェースにおいて検出可能なＲＦ信号の包絡線のみを例示していることに留意すべきである。上昇時間Ｔrおよび下降時間Ｔfは、１μｓ〜５００μｓの時間範囲内にあるべきである。パワーアップの後、質問信号は、実質的に恒常レベル（１００％の電力レベル）となる前に整定時間Ｔsを必要とする。この整定時間Ｔsは０〜１５００μｓの時間範囲内にあるべきである。パワーアップの間、包絡線は、１０％の電力レベルを超えた時点で、少なくともリップル限界ＭI（９５％の電力レベル）まで単調に上昇しなければならない。パワーダウンの間、包絡線は、９０％の電力レベル間より低く下降した時点で、少なくとも限界電力Ｍｓ（１％の電力レベル）まで、単調に減少するべきである。電力レベルＭI（アンダーシュート、最大９５％）およびＭｈ（オーバーシュート、最大１０５％）は、ＲＦ包絡線の電力レベル境界を定義づけている。
【０１４２】
一部の領域内では、無線周波識別（ＲＦＩＤ）通信が始まる前に搬送波検知の試みを実施しなくてはならないという点に留意すべきである。例えば、欧州で特に考慮しなければならないＥＴＳＩ（欧州電気通信標準化機構）規則に関しては、例えば８６５ＭＨｚから８６８ＭＨｚまでの周波数範囲での無線周波識別（ＲＦＩＤ）通信の使用には、いわゆる「リッスン・ビフォア・トーク」（ＬＢＴ：Ｌｉｓｔｅｎ−Ｂｅｆｏｒｅ−Ｔａｌｋ）動作が前提とされる。このリッスン・ビフォア・トーク（ＬＢＴ）動作は、無線周波識別（ＲＦＩＤ）通信のために意図されている全く異なる周波数サブバンドが現在使用中であるか使われていない（未使用）かを検出するために提供される。この検出は、同じ無線周波数サブバンドでの通信の衝突を避けるはずである。例えばＥＴＳＩ規格に従うと、無線周波識別（ＲＦＩＤ）リーダサブシステムによる各々の通信の直前に、無線周波識別（ＲＦＩＤ）リーダサブシステムは、搬送波検知周期ＴLSBとも呼称されることになる特定の聴取時限の間、１つまたは複数の予め選択された周波数サブバンドが監視されるいわゆるリッスンモードへと切換えられなくてはならない。搬送波検知周期ＴLSB（例えばＥＴＳＩ規則に従う）は、例えば５ｍｓの固定時間間隔と例えば０ｍｓ〜ｒｍｓ特に０ｍｓ〜５ｍｓの時間範囲内のランダム時間間隔を含んでいるべきである。監視されたサブバンドが使われていない（未使用）である場合、ランダム時間間隔は０ｍｓにセットされる。ＥＴＳＩ仕様はさらに、感度特性を定義する閾値レベルについて、いくつかの許可された最低レベルを定義している。これらの許可最低レベルは、無線周波識別（ＲＦＩＤ）通信のために使用されるように意図された伝送電力レベルに左右される。無線周波識別（ＲＦＩＤ）リーダサブシステムの動作の調整および／または最適化の場合に、可変的搬送波検知周期ＴLSB（５ｍｓ〜１０ｍｓの時間範囲内の可変的時限に等しい）も考慮すべきであるという点に留意されたい。
【０１４３】
図６ｃを参照すると、物理層上で符号化するデータが描かれている。特に、データ符号化のために用いられる符号化記号ｄａｔａ−０およびｄａｔａ−１のＲＦ包絡線信号が描かれている。Ｔariは、質問機−タグ信号伝達（すなわち無線周波識別（ＲＦＩＤ）リーダサブシステム−トランスポンダ信号伝達）のための基準時間間隔であり、例えば２進ゼロを表わすｄａｔａ−０記号の持続時間を表わす。値×（０．５〜１．０の値範囲内）は、基準時間間隔Ｔariに基づくｄａｔａ−１の持続時間を定義づけする、すなわち値×は、質問機−タグ信号伝達のための相対的基準時間間隔を定義し、ｄａｔａ−１記号が例えば２進ゼロを表わす場合のｄａｔａ−０記号の持続時間に基づくｄａｔａ−１記号の持続時間を表わす。高い値は、以上で質問または励起ＲＦ信号とも呼ばれている伝送された連続波（ＣＷ）を表わす。低い値は、減衰されたＣＷを表わす。変調深さ、上昇時間、下降時間およびパルス幅が定義される。上述のパラメータの有効値は、トランスポンダにより支援されなくてはならない、ダブルサイドバンド振幅偏移変調（ＤＢＳ−ＡＳＫ）、シングルサイドバンド振幅偏移変調（ＳＳＢ−ＡＳＫ）および位相反転振幅偏移変調（ＰＲ−ＡＳＫ）を含めた、トランスポンダへの通信のために利用される変調タイプに左右される。変調タイプに従って、基準時間間隔Ｔariは、値６．２５μｓ（ＤＳＢ−ＡＳＫ向け）、１２．５μｓ（ＳＳＢ−ＡＳＫおよび２５μｓ（ＰＲ−ＡＳＫ向け）を有し得る。その上、変調度は、最低８０％、標準的には９０％、そして最大１００％であるべきである。ＲＦ包絡線上昇時間（１０％→９０％）およびＲＦ包絡線上昇時間（９０％→１０％）は、０〜０．３３×Ｔariの範囲内にあるべきである。ＲＦパルス幅はＭＡＸ（０．２６５×Ｔari、２）から０．５２５×Ｔariの範囲内にあるべきである。
【０１４４】
ＲＦパルス幅、ＲＦ包絡線上昇時間、ＲＦ包絡線下降時間は、無線周波識別（ＲＦＩＤ）リーダサブシステムに特定的である。これらのパラメータは読取りのみが可能であり、修正することはできない。搬送波周波数は、８６０ＭＨｚから９６０ＭＨｚの周波数範囲から選択され得る。しかしながら、現地の規則を考慮に入れなくてはならず、搬送波周波数は現地の無線周波数環境によって付加的に決定されるべきである。
【０１４５】
図６ｄを参照すると、リーダからトランスポンダ（Ｒ→Ｔ）およびトランスポンダからリーダ（Ｔ→Ｒ）のリンクタイミング例が示されている。リーダからトランスポンダ（Ｒ→Ｔ）の通信は、上述のＲＦ質問／励起信号に対応する連続波（ＣＷ）に基づいている。この連続波は、無線周波識別（ＲＦＩＤ）トランスポンダの付勢を保証するため、無線周波識別（ＲＦＩＤ）リーダサブシステムによって連続的に発出される。無線周波識別（ＲＦＩＤ）トランスポンダによって記憶された情報にアクセスするためには、連続波上に変調され得るコマンドセットが提供される。
【０１４６】
より詳細には、無線周波識別（ＲＦＩＤ）リーダサブシステムは、パルス間隔符号化（ＰＩＥ）書式を用いた位相反転振幅偏移変調（ＰＲ−ＡＳＫ）、または両面バンド振幅偏移変調（ＤＳＢ−ＡＳＫ）、片面バンド振幅偏移変調（ＳＳＢ−ＡＳＫ）を用いて、ＲＦ搬送波（連続波（ＣＷ）；質問または励起ＲＦ信号）を変調することによって、有効化され１つまたは複数の無線周波識別（ＲＦＩＤ）トランスポンダに情報を送る。無線周波識別（ＲＦＩＤ）トランスポンダは、この同じ変調されたＲＦ搬送波からその動作エネルギーを受け取るように配置されている。
【０１４７】
無線周波識別（ＲＦＩＤ）リーダサブシステムはさらに、未変調ＲＦ搬送波（連続波（ＣＷ）；質問または励起ＲＦ信号）を伝送し後方散乱された回答を聴取することにより無線周波識別（ＲＦＩＤ）トランスポンダから情報を受取るように配置されている。無線周波識別（ＲＦＩＤ）トランスポンダは、ＲＦ搬送波の振幅および／または位相を後方散乱変調させることにより情報を通信する。無線周波識別（ＲＦＩＤ）リーダサブシステムコマンドに応えて選択される符号化書式は、例えばＦＭ０またはミラー変調副搬送波のいずれかである。無線周波識別（ＲＦＩＤ）リーダサブシステムと無線周波識別（ＲＦＩＤ）トランスポンダとの間の通信リンクは、半２重であり、これは、後方散乱している間に無線周波識別（ＲＦＩＤ）リーダサブシステムコマンドを復調するのに、無線周波識別（ＲＦＩＤ）トランスポンダが必要とされるべきでないことを意味する。無線周波識別（ＲＦＩＤ）トランスポンダは、全２重通信を用いて応答すべきではない。
【０１４８】
一例として、選択、問合せおよび肯定応答コマンドが描かれている。無線周波識別（ＲＦＩＤ）トランスポンダにコマンドを出す前に、無線周波識別（ＲＦＩＤ）リーダは、ＲＴcalがｄａｔａ−０およびｄａｔａ−１記号の長さに等しい（すなわちＲＴcalは２．５×Ｔari〜３．０×Ｔariの時間範囲内にある）ものとして、少なくとも質問機−タグ較正記号ＲＴcal周期８回の間連続波を発出しなければならない。
【０１４９】
無線周波識別（ＲＦＩＤ）トランスポンダによる選択コマンドを受信した時点で、トランスポンダはさらなるコマンド上で回答するよう命令を受ける。第１の問合せコマンドは、選択された無線周波識別（ＲＦＩＤ）トランスポンダに１６ビットの乱数または疑似乱数（ＲＮ１６）を応答するように命令する。１６ビットの乱数または疑似乱数（ＲＮ１６）が有効であることを無線周波識別（ＲＦＩＤ）トランスポンダに知らせる肯定応答コマンドを無線周波識別（ＲＦＩＤ）リーダから受信した時点で、トランスポンダは例えば、電子製品コード（ＥＰＣ）、プロトコル制御（ＰＣ）および巡回冗長チェック（ＣＲＣ）値を伝送する。無線周波識別（ＲＦＩＤ）リーダは、応答が成功裏に受信されたか否かを巡回冗長チェックに基づいて確認することができる。従って、無線周波識別（ＲＦＩＤ）リーダはこのとき、さらなるコマンドまたは非肯定応答コマンドを伝送し得る。後者のコマンドは、先行する応答のペイロードが誤って受信されたことを無線周波識別（ＲＦＩＤ）トランスポンダに示すために伝送される。
【０１５０】
図６ｄに示されているように、例えば連続する無線周波識別（ＲＦＩＤ）リーダコマンド（Ｔ4）の伝送の間、無線周波識別（ＲＦＩＤ）リーダコマンドの終りと無線周波識別（ＲＦＩＤ）トランスポンダ応答（Ｔ1）の開始の間、およびその逆、つまり無線周波識別（ＲＦＩＤ）トランスポンダ応答の終りと後続する無線周波識別（ＲＦＩＤ）リーダコマンド（Ｔ2）の始めの間の待機周期といったような、複数の待機周期を考慮に入れなくてはならない。
【０１５１】
無線周波識別（ＲＦＩＤ）トランスポンダからの情報を検索し、かつ／または無線周波識別（ＲＦＩＤ）トランスポンダに記憶された情報を修正するために、コマンドおよびコマンドシーケンスが提供される。
【０１５２】
図６ｅを参照すると、主要な無線周波識別（ＲＦＩＤ）コマンドシーケンスおよび無線周波識別（ＲＦＩＤ）トランスポンダ状態が例示されている。ＥＰＣグローバル規格に従った無線周波識別（ＲＦＩＤ）通信が、特に単一のトランスポンダとの通信を含むトランスポンダ集団との通信のために用意されている。
【０１５３】
無線周波識別（ＲＦＩＤ）リーダサブシステムは、それ自体１つまたは複数のプロセス特定的コマンドを含む３つの基本プロセスに基づいて無線周波識別（ＲＦＩＤ）トランスポンダの集団を管理するように有効化される。以下の記述では、詳細に入ることなく基本的プロセスが簡単に記述される。
【０１５４】
その後の通信特にインベントリおよびアクセスコマンド通信のために無線周波識別（ＲＦＩＤ）トランスポンダ集団を選択するための「Ｓｅｌｅｃｔ」プロセスが提供されている。「Ｓｅｌｅｃ」コマンドは、ユーザが特定したデータに基づいて無線周波識別（ＲＦＩＤ）トランスポンダの特定の集団を選択するためにうまく応用可能である。この動作は、１つのデータベースから１つまたは複数の記録を選択することと類似したものと考えることができる。
【０１５５】
無線周波識別（ＲＦＩＤ）トランスポンダを識別するためすなわち「Ｓｅｌｅｃｔ」コマンドを用いて選ばれた集団の中から無線周波識別（ＲＦＩＤ）トランスポンダを識別するために、「インベントリ」プロセスが提供される。無線周波識別（ＲＦＩＤ）リーダサブシステムは、４つのうち１つのセッション上で「Ｑｕｅｒｙ」コマンドを伝送することにより、インベントリラウンド、すなわち１つまたは複数のインベントリコマンドおよびトランスポンダ応答サイクルを開始することができる。１つまたは複数の無線周波識別（ＲＦＩＤ）トランスポンダが回答し得る。無線周波識別（ＲＦＩＤ）リーダサブシステムは有効化されて、単一の無線周波識別（ＲＦＩＤ）トランスポンダ回答を検出し、検出された無線周波識別（ＲＦＩＤ）トランスポンダからＰＣ、ＥＰＣおよびＣＲＣを請求する。インベントリプロセスは、多数のインベントリコマンドを含み得る。インベントリラウンドは、１度に１セッション内で動作する。
【０１５６】
通信が無線周波識別（ＲＦＩＤ）トランスポンダからの読取りおよび／またはこのトランスポンダへの書込みを含む場合、無線周波識別（ＲＦＩＤ）トランスポンダと通信するためにアクセスプロセスが提供される。個々の無線周波識別（ＲＦＩＤ）トランスポンダが、アクセスプロセスに先立ち一意的に識別されるべきである。アクセスプロセスは多数のアクセスコマンドを含むことができ、その一部分は、リーダからトランスポンダへの通信リンクのワンタイムパッドベースのカバー符号化を利用する。
【０１５７】
より詳細には、「Ｓｅｌｅｃｔ」プロセスは、ユーザ定義基準に基づいて無線周波識別（ＲＦＩＤ）トランスポンダの特定の集団を選択し、合併集合演算、ＡＮＤ演算および否定演算ベースのトランスポンダ分割を有効化するために無線周波識別（ＲＦＩＤ）リーダサブシステムが連続的に適用しうる単一のコマンド「Select」を利用する。無線周波識別（ＲＦＩＤ）リーダサブシステムは有効化されて、連続的Selectコマンドを発することで合併集合演算およびＡＮＤ演算を実施する。
【０１５８】
インベントリプロセスコマンドセットにはQuery, Query Adjust, Query Rep, ACK（肯定応答）およびＮＡＫ（非肯定応答）コマンドが含まれる。Queryコマンドは、インベントリラウンドを開始し、「インベントリラウンド」を連続するQueryコマンド間の周期と定義して、そのインベントリラウンドにどの無線周波識別（ＲＦＩＤ）トランスポンダが参加するかを決定する。Queryコマンドは、衝突回避スキーマ内でランダムバックオフのために使用されるスロット計数パラメータＱを含む。スロット−計数パラメータＱは、無線周波識別（ＲＦＩＤ）リーダサブシステムにより設定およびセッティング可能である。Queryコマンドを受信した時点で、分割無線周波識別（ＲＦＩＤ）ＴＰＧの各々は、０〜２Q−１の範囲内で１つのランダム値を選定しなければならず、かつこの値をそのスロット計数器内に記憶しなければならない。ゼロを選定する無線周波識別（ＲＦＩＤ）トランスポンダは、回答状態へと遷移し直ちに回答しなければならない。非ゼロ値を選定する無線周波識別（ＲＦＩＤ）トランスポンダは、調停状態へと遷移しQuery AdjustまたはQuery Repコマンドを待たなければならない。単一の無線周波識別（ＲＦＩＤ）トランスポンダが回答するものと仮定して、問合せ−応答アルゴリズムは、回答を入力するにつれて１６ビットの乱数または類似乱数（ＲＮ１６）応答を後方散乱するための無線周波識別（ＲＦＩＤ）トランスポンダを提供する。無線周波識別（ＲＦＩＤ）リーダサブシステムは、この同じＲＮ１６を含む肯定応答（ＡＣＫ）コマンドで無線周波識別（ＲＦＩＤ）トランスポンダに肯定応答をする。その後肯定応答を受けた無線周波識別（ＲＦＩＤ）トランスポンダは、肯定応答された状態へと遷移し、そのＰＣ、ＥＰＣおよびＣＲＣを後方散乱する。さらに、無線周波識別（ＲＦＩＤ）リーダサブシステムは、Query AdjustまたはQuery Repコマンドを発して、識別された無線周波識別（ＲＦＩＤ）トランスポンダを準備完了状態まで遷移させ、かつ潜在的にはもう１つの無線周波識別（ＲＦＩＤ）トランスポンダに無線周波識別（ＲＦＩＤ）リーダサブシステムとの問合せ−応答対話を開始させ、前述の問合せプロセスシーケンスを再び開始させることができる。無線周波識別（ＲＦＩＤ）トランスポンダがＡＣＫコマンドを受信できなかった場合、または誤ったＲＮ１６と共にＡＣＫコマンドを受信した場合、無線周波識別（ＲＦＩＤ）トランスポンダは、調停状態に戻らなければならない。
【０１５９】
Query Adjustを受信する調停状態または回答状態にある無線周波識別（ＲＦＩＤ）トランスポンダは、まず最初に、（増分すること、減分することまたは不変のまま放置することによって）Ｑを調整し、次に０〜２Q−１の範囲内のランダム値を選定し、この値をそのスロット計数器内に記憶する。ゼロを選択する無線周波識別（ＲＦＩＤ）トランスポンダは、回答状態に遷移し直ちに回答しなければならない。非ゼロ値を選定する無線周波識別（ＲＦＩＤ）トランスポンダは、調停状態まで遷移し、Query AdjustまたはQuery Repコマンドを待つべきである。調停状態にある無線周波識別（ＲＦＩＤ）トランスポンダは、Query Repを受信する毎につねにそのスロット計数器を減分し、回答状態まで遷移し、そのスロット計数器がゼロに達した時点でＲＮ１６を後方散乱させる。
【０１６０】
要約すると、無線周波識別（ＲＦＩＤ）リーダサブシステムのＲＦ活動サイクルの間に、最初の無線周波識別（ＲＦＩＤ）トランスポンダが「Ｓｅｌｅｃｔ」プロセスに従って選択され、その後、無線周波識別（ＲＦＩＤ）サブシステムは、「インベントリ」プロセスまで進むことができ、最後に「アクセス」プロセスを実行することができる。
【０１６１】
当業者であれば、スケジューラが好ましくは、上述のパラメータ値のうちの１つまたは複数のものを得るため、そして望まれる場合または必要な場合には該パラメータ値の１つまたは複数のものを修正するために有効化される、ということがわかるだろう。スケジューラは、以上で記述した設定および調整インタフェースを通してパラメータ値を得かつ／または修正する。
【０１６２】
スケジューラは、少なくとも無線周波識別（ＲＦＩＤ）サブシステムおよびセルラー通信サブシステムのＲＦ活動の整合に関連するものであるパラメータを獲得し、修正する。セルラー通信サブシステムの活動は、セルラー通信サブシステムの活動が標準的に無線アクセスネットワーク（ＲＡＮ）の制御下にありかつセルラー通信サブシステムの活動に端末が影響を及ぼす可能性がきわめて小さいという事実に起因して、無線周波識別（ＲＦＩＤ）リーダサブシステムの活動よりも優先される。
【０１６３】
これに対応して、無線周波識別（ＲＦＩＤ）通信を可能にする利用可能な時限およびその適時距離は、セルラー通信サブシステムの活動周期および非活動周期からわかる。このことはすなわち、個々の連続波（ＣＷ）の最大持続時間（図６ｄを参照）および２つの連続する連続波（ＣＷ）の間のスリープ持続時間がわかっているということを意味している。このような最大持続時間内で、リーダサブシステムとトランスポンダ（単複）との間の無線周波識別（ＲＦＩＤ）通信が実施されなくてはならない（図６ｄおよび６ｅ参照）。１つまたは複数のコマンドおよび応答を含む考慮対象の無線周波識別（ＲＦＩＤ）通信手順に必要とされる持続時間は、以上で例示したコマンドおよび応答シーケンスならびにタイミング必要条件から決定または推定可能である。特に基準時間間隔Ｔari、相対的基準時間間隔値×、ＲＦパルス幅、搬送波周波数およびスロット計数パラメータＱを含む１つまたは複数のタイミングパラメータを調整することにより、考慮対象の無線周波識別（ＲＦＩＤ）通信手順に必要とされる持続時間を、単一の連続波（ＣＷ）の最大持続時間内に収まるように最適化させることができる。パラメータでの調整は、１つまたは複数の許容範囲内で少なくとも可能でなければならない。実質的にブールパラメータを表わすデジタル（出入力）トリガー信号の設定時点で、「Ｓｅｌｅｃｔ」プロセスが開始される。
【０１６４】
さらに、無線周波識別（ＲＦＩＤ）リーダサブシステムのＲＦ電力レベルは、無線周波識別（ＲＦＩＤ）リーダサブシステムに対しスケジューラが発する対応する電力セッティングコマンドに応じて調整され得る。その上、読出しすべき無線周波識別（ＲＦＩＤ）トランスポンダの数を、定義または制限することができる。
【０１６５】
セルラー通信サブシステムの非活動周期は、一例としてＥＰＣグローバル規格に基づいて以上で記述した方法で無線周波識別（ＲＦＩＤ）通信のために必要とされる持続時間との関係において短時間であり得るという点に留意すべきである。リーダからトランスポンダのビットレートは、適用される変調スキームに応じて２６．７ｋｂｐｓ〜１２８ｋｂｐｓの範囲内にあるが、一方、トランスポンダからリーダへのビットレートは４０ｋｂｐｓ〜６４０ｋｂｐ（副搬送波が変調する場合は５ｋｂｐｓ〜３２０ｋｂｐｓ）の範囲内にある。しかしながら、有効なビットレートは、例えば図６ｄを参照しながら以上で示したいくつかのタイミング必要条件に悩まされている。無線周波識別（ＲＦＩＤ）通信のために利用可能な非活動周期は、できるかぎり有効に使用されるべきである。
【０１６６】
無線周波識別（ＲＦＩＤ）通信および動作は、主として以上で製品タグ付けおよび識別アプリケーションを考慮して記述されている。本発明は、無線周波識別（ＲＦＩＤ）技術の分野におけるいずれかの特定のアプリケーションおよび使用事例に制限されるわけではないということを理解すべきである。一般に、無線周波識別（ＲＦＩＤ）技術は、トランスポンダが読取り専用および／またはランダムアクセス記憶装置を提供し、この記憶装置にはリーダサブシステムを用いて無線でアクセスできる、無線記憶技術としてみなすことができる。原則として、トランスポンダとリーダサブシステムの間の通信は、例示された実施形態と同様に動作可能である。例えば、無線周波識別（ＲＦＩＤ）技術は、デジタル的に強化されたパスポート内にバイオメトリック識別情報を記憶するために選択されてきた。このようなパスポートは、顔のデジタル画像、１つまたは複数の指紋のデジタル表現および／または虹彩スキャンのデジタル表現といったようなパスポート所持人についてのバイオメトリック情報を記憶する無線周波識別（ＲＦＩＤ）トランスポンダを含む。国境の入国審査局に備えられた無線周波識別（ＲＦＩＤ）リーダサブシステムは、そのパスポートの所持人を認証するため記憶されたバイオメトリック情報へのアクセスを有効化する。特に、パスポート内の無線周波識別（ＲＦＩＤ）トランスポンダは、記憶された情報への無許可のアクセスを防止するためアクセス制御メカニズムを実装する。
【０１６７】
その上、無線周波識別（ＲＦＩＤ）トランスポンダは同様に、センサ論理、特に条件監視センサまたは環境監視センサ例えば温度センサ、湿度センサ、圧力センサ、気体センサ（１つまたは複数の特定のタイプの気体を検出する）などに備えられることができる。かかるセンサの較正および／またはこれらへの読取りアクセスは、以上で詳述したインタフェース（単複）を通して動作可能である。しかしながら、無線周波識別（ＲＦＩＤ）トランスポンダ内に実装されたセンサに対する較正アクセスには、センサ読取り周期Ｔreadと呼ばれることになる一定の時間的周期が必要とされるということを考慮すべきである。同じことは、このようなセンサによって生成されるデータの読取りアクセスにもあてはまる。センサにより生成されたまたはセンサから得たデータへのアクセスには、センサ書込み周期Ｔwriteと呼ばれることになる一定の時間的周期が必要とされる。１つまたは複数のセンサ書込み周期Ｔwriteおよび１つまたは複数のセンサ読取り周期Ｔreadが、無線周波識別（ＲＦＩＤ）リーダサブシステムの動作の調整および／または最適化の場合にも考慮されるべきであるという点に留意されたい。好ましくは非活動周期の間無線周波識別（ＲＦＩＤ）トランスポンダとの通信一回につき１つまたは複数の特定のセンサのみにセンサおよび／またはセンサ書込みアクセスの数を制限することにより、最適化を得ることができる。通信特性（通信関連パラメータ）に関係する上述のパラメータとは対照的に、センサ関連パラメータは一般にアプリケーション関連パラメータと呼ぶことができる。
【０１６８】
さらに本発明のもう１つの実施形態に従うと、ＲＦ質問信号（ＲＦ励起信号、連続波）を発出するために、そして必要とあらばおよび／または要求された場合にはリッスン・ビフォア・トーク測定（単複）のために、無線周波識別（ＲＦＩＤ）リーダサブシステムの動作を利用することができる。ＲＦ質問信号は、例えば、発出する無線周波識別（ＲＦＩＤ）リーダサブシステムのサービスエリア内で１つまたは複数の無線周波識別（ＲＦＩＤ）トランスポンダを付勢するために（連続して）発出される。（無線周波識別（ＲＦＩＤ）トランスポンダからのデータ受信ならびに無線周波識別（ＲＦＩＤ）トランスポンダへのコマンド伝送を含めた）１つまたは複数の無線周波識別（ＲＦＩＤ）トランスポンダとのデータ通信は、異なる無線周波数帯域で、場合によっては同様に異なるプロトコルで、かつ／または異なる無線データ通信技術に基づいて、動作され得る。しかしながら、ＲＦ質問信号を通したエネルギー供給は、無線データ通信の能力をもつ受動的給電を受けたモジュールの提供を可能にために有利である。
【０１６９】
当業者であれば、セルラー通信サブシステムに基づいて記述された本発明の概念がその他の無線周波数通信サブシステム特に無線ネットワークインタフェースサブシステムでも応用可能であることを認識することだろう。このことはすなわち、本発明の実施形態に従った無線周波識別（ＲＦＩＤ）リーダサブシステムの活動スケジューリングが上述のセルラー通信サブシステムに制限されるべきではなく、考慮対象の３．９世代および第４世代の携帯電話技術規格、ＷＬＡＮ（無線ローカルエリアネットワーク）、ＷｉＭＡＸ、ＵＷＢ（超広帯域）、ブルートゥースそしてその他のあらゆる無線技術でも全体的ソリューションを応用することができるということを意味している。ＵＨＦ無線周波識別（ＲＦＩＤ）サブシステムの９００ＭＨｚのＵＨＦ帯域近くで動作する無線通信サブシステムに対し、干渉は最悪となると思われるが、無線周波識別（ＲＦＩＤ）リーダサブシステムに由来する広帯域ノイズは、同様に、その他のスペクトル周波数で動作する無線通信サブシステムに対しても問題をひき起こす可能性があると思われる。
【０１７０】
その上、本発明の１実施形態によるスケジューリングは、２．４ＧＨｚのＩＳＭ無線周波識別（ＲＦＩＤ）リーダサブシステムできわめて有益であると思われ、これは、例えばＩＥＥＥ８０２．１１ｂ／ｇＷＬＡＮおよびブルートゥースといった２．４ＧＨｚのＩＳＭ周波数帯域で動作する無線通信サブシステムに対する強力な干渉をひき起こすことになるであろう。
【０１７１】
以上の記述に従って例示された発明力ある概念に基づくと、当業者であれば、無線周波識別（ＲＦＩＤ）リーダサブシステムおよびセルラー／無線通信サブシステムの実質的に同時の動作が操作可能であるということを理解することだろう。両方のサブシステムの実質的に同時の動作は、付加的な情報を記憶するデータベース内でのデータ検索といったような無線周波識別（ＲＦＩＤ）トランスポンダから検索された情報に依存した付加的な情報を検索することなどのためにユーザが付加的なデータ通信を望む場合に、ユーザが活用できるものである。従来、タグ付き製品の識別コードとして役立つ好ましくは世界的規模の一意的電子製品コード（ＥＰＣ）を提供するＥＰＣグローバル適合無線周波識別（ＲＦＩＤ）トランスポンダを考慮すると、付加的な情報には例えば、供給チェーン関連情報例えば産地、製造元、卸売業者、製造年月日、賞味期限などが含まれる可能性がある。もう１つの使用事例には、供給チェーン管理を目的とするデータベース内の無線周波識別（ＲＦＩＤ）トランスポンダから読出された情報の伝送が含まれ得る。
【０１７２】
まず最初に無線周波識別（ＲＦＩＤ）トランスポンダから情報を検索し、検索した情報をバッファし、その後、例えばインターネットベースのデータベースサービスへの広域ネットワーク（ＷＡＮ）アクセスを有効化するセルラー／無線通信インタフェースを介してデータベース検索を実施する従来の方法とは対照的に、発明力ある概念は、両方のサブシステムの実質的に同時の動作に起因してバッファリングを省くことを可能にし、データベース検索を加速する。特に、多数の無線周波識別（ＲＦＩＤ）トランスポンダが読み出され、読み出した情報をデータベース内に記憶できるかまたは読み出した情報に従ってデータベースから情報を検索できる使用事例においては、該発明力ある概念の利点は直ちに明らかである。
【０１７３】
その上、該発明力ある概念は、無線周波識別（ＲＦＩＤ）リーダサブシステムの動作に対処するものである。セルラー／無線通信サブシステムが標準的にネットワーク側の実装および必要条件に起因して優先されるサブシステムの時間的に整合された動作のため、無線周波識別（ＲＦＩＤ）通信は、セルラー／無線通信サブシステムの利用可能な非活動周期の中に収まるように調整されなくてはならない。この適合必要条件は、無線周波識別（ＲＦＩＤ）リーダサブシステムから得ることができかつ利用可能な１つまたは複数の非活動周期と無線周波識別（ＲＦＩＤ）通信の時間的一致を有効化するように調整可能である１つまたは複数のパラメータを調整することによって達成可能である。
【０１７４】
当業者にとっては、技術の進歩に従って、多数のやり方で該発明力ある概念を実装できるということが明白となるだろう。かくして、該発明およびその実施形態は、上述の例に制限されず、クレームの範囲内で変動し得るものである。
【図面の簡単な説明】
【０１７５】
【図１】無線周波識別（ＲＦＩＤ）トランスポンダおよび無線周波識別（ＲＦＩＤ）リーダサブシステムの標準的構成要素を概略的に例示する原理ブロック図である。
【図２ａ】本発明の１実施形態による無線周波識別（ＲＦＩＤ）通信のために有効化された携帯式セルラー端末を概略的に例示する原理ブロック図である。
【図２ｂ】本発明の１実施形態による無線周波識別（ＲＦＩＤ）リーダサブシステムの原理ブロック図を概略的に例示してい実装を概略的に例示する原理ブロック図である。
【図３ａ】本発明による実施形態の無線周波識別（ＲＦＩＤ）通信のために有効化された携帯式セルラー端末の別の実施例を概略的に例示する原理ブロック図である。
【図３ｂ】本発明による実施形態の無線周波識別（ＲＦＩＤ）通信のために有効化された携帯式セルラー端末の別の実施例を概略的に例示する原理ブロック図である。
【図３ｃ】本発明による実施形態の無線周波識別（ＲＦＩＤ）通信のために有効化された携帯式セルラー端末の別の実施例を概略的に例示する原理ブロック図である。
【図４ａ】本発明による実施形態の協調した無線周波識別（ＲＦＩＤ）通信およびセルラー通信を有効化するためスケジューリング機構と共に適用可能な動作シーケンスを概略的に例示する図である。
【図４ｂ】本発明による実施形態の協調した無線周波識別（ＲＦＩＤ）通信およびセルラー通信を有効化するためスケジューリング機構と共に適用可能な動作シーケンスを概略的に例示する図である。
【図４ｃ】本発明による実施形態の協調した無線周波識別（ＲＦＩＤ）通信およびセルラー通信を有効化するためスケジューリング機構と共に適用可能な動作シーケンスを概略的に例示する図である。
【図４ｄ】本発明による実施形態の協調した無線周波識別（ＲＦＩＤ）通信およびセルラー通信を有効化するためスケジューリング機構と共に適用可能な動作シーケンスを概略的に例示する図である。
【図５ａ】本発明の１実施形態による、典型的なＧＳＭ／ＥＤＧＥ活動タイミング図および無線周波識別（ＲＦＩＤ）通信活動タイミング図を概略的に例示する図である。
【図５ｂ（１）】本発明の１実施形態による典型的なＷＣＤＭＡ圧縮フレームモード通信時間図を概略的に例示する図である。
【図５ｂ（２）】本発明の１実施形態による典型的なＷＣＤＭＡ圧縮フレームモード通信時間図を概略的に例示する図である。
【図５ｂ（３）】本発明の１実施形態による典型的なＷＣＤＭＡ圧縮フレームモード通信時間図を概略的に例示する図である。
【図５ｂ（４）】本発明の１実施形態による典型的なＷＣＤＭＡ圧縮フレームモード通信時間図を概略的に例示する図である。
【図６ａ】本発明の１実施形態による図５ａの典型的なＧＳＭ／ＥＤＧＥ活動タイミング図および無線周波識別（ＲＦＩＤ）通信活動タイミング図をより詳しく例示する図である。
【図６ｂ】本発明の１実施形態による無線周波識別（ＲＦＩＤ）リーダサブシステムのパワーアップおよびパワーダウン高周波包絡線を概略的に例示する図である。
【図６ｃ】本発明の１実施形態による無線周波識別（ＲＦＩＤ）通信において用いられるデータ−０およびデータ−１記号のパルス間隔符号化を概略的に例示する図である。
【図６ｄ】本発明の１実施形態による無線周波識別（ＲＦＩＤ）リーダサブシステムと無線周波識別（ＲＦＩＤ）トランスポンダとの間の無線周波識別（ＲＦＩＤ）通信のリンクタイミング図を概略的に例示する図である。
【図６ｅ】本発明の１実施形態による無線周波識別（ＲＦＩＤ）通信プロセスのシーケンスおよび無線周波識別（ＲＦＩＤ）トランスポンダの動作状態を概略的に例示する図である。
【図１】
2009510870.tif 000004
【図２ａ】
2009510870.tif 000005
【図２ｂ】
2009510870.tif 000006
【図３ａ】
2009510870.tif 000007
【図３ｂ】
2009510870.tif 000008
【図３ｃ】
2009510870.tif 000009
【図４ａ】
2009510870.tif 000010
【図４ｂ】
2009510870.tif 000011
【図４ｃ】
2009510870.tif 000012
【図４ｄ】
2009510870.tif 000013
【図５ａ】
2009510870.tif 000014
【図５ｂ（１）】
2009510870.tif 000015
【図５ｂ（２）】
2009510870.tif 000016
【図５ｂ（３）】
2009510870.tif 000017
【図５ｂ（４）】
2009510870.tif 000018
【図６ａ】
2009510870.tif 000019
【図６ｂ】
2009510870.tif 000020
【図６ｃ】
2009510870.tif 000021
【図６ｄ】
2009510870.tif 000022
【図６ｅ】
2009510870.tif 000023
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
無線通信サブシステムおよび無線周波識別通信サブシステム上での通信をスケジューリングするための方法であって、
前記無線通信サブシステムの１つまたは複数の活動周期を決定するステップと、
決定された前記１つまたは複数の活動周期に基づいて１つまたは複数の非活動周期を導出するステップと、
前記１つまたは複数の非活動周期と、前記無線周波識別通信サブシステムの動作を同期化するステップと、
前記無線通信サブシステムおよび前記無線周波識別通信サブシステムの実質的に同時の通信動作を有効化するため、導出された前記１つまたは複数の非活動周期に従って前記無線周波識別通信サブシステムの動作をトリガーするステップと、
を備える方法。
【請求項２】
前記無線通信サブシステムの動作状態を得るステップであって、動作状態が少なくともアイドル動作と能動動作状態とを備えるステップと、
前記動作状態に基づいて前記無線通信サブシステムの１つまたは複数の活動周期を決定するステップと、
を備える請求項１に記載の方法。
【請求項３】
前記無線通信サブシステムがアイドル動作状態で動作する請求項２に記載の方法であって、
前記無線通信サブシステムからページング動作に関するタイミング情報および信号測定に関するタイミング情報を得るステップと、
得られた前記タイミング情報に基づいて周期長を含め活動周期を決定するステップと、
を備える、方法。
【請求項４】
前記無線通信サブシステムが能動動作状態で動作する請求項２に記載の方法であって、
時分割多元接続ベースの無線通信サブシステムの場合には、現在アップリンクおよび／またはダウンリンク通信および測定動作に割当てられているタイプスロットに従ってスロットタイミングについてのタイミング情報を得るステップ、そして、
符合分割多元接続ベースの無線通信サブシステムの場合には、非連続的通信モードに従って活動周期についてのタイミング情報を得るステップ、
を備える方法。
【請求項５】
前記無線通信サブシステムが時分割多元接続ベースの無線通信サブシステムである請求項４に記載の方法であって、
該当する場合および／または必要に応じて、フレーム構造内部に１つまたは複数の割当てされていないタイムスロットを含むアップリングおよび／またはダウンリンク通信のためにタイムスロット割当てを要求するステップ、
を備える方法。
【請求項６】
前記無線通信サブシステムが広帯域符合分割多元接続ベースの無線通信サブシステムである請求項４に記載の方法であって、
該当する場合および／または必要に応じて、圧縮フレーム通信モードを要求するステップと、
および
圧縮フレーム通信モードに従って伝送ギャップおよびその長さについてのタイミング情報を得るステップと、
を備える方法。
【請求項７】
前記無線通信サブシステムがｃｄｍａ２０００ベースの無線通信サブシステムである請求項４に記載の方法であって、
該当する場合および／または必要に応じて、不連続伝送モードを要求するステップと、
逆方向リンクおよび順方向リンク内で不連続伝送についてのタイミング情報を得るステップと、
を備える方法。
【請求項８】
前記無線周波識別通信サブシステムの立上り持続時間（△I）および／または立下り持続時間（△III）に従って前記無線周波識別通信サブシステムの動作をトリガーするステップ、
を備える請求項１〜７のいずれか一項に記載の方法。
【請求項９】
前記無線周波識別通信サブシステムの１つまたは複数の通信関連パラメータおよび／またはアプリケーション関連パラメータを得る段階ステップと、
得られた前記通信関連パラメータおよび／または前記アプリケーション関連パラメータに従って、前記無線周波識別通信サブシステムの動作に必要とされる通信周期を決定するステップと、
１つまたは複数の導出された非活動周期に前記無線周波識別通信サブシステムの動作に必要とされる通信周期を適合させるべく、前記無線周波識別通信サブシステムの１つまたは複数の前記通信関連パラメータおよび／または前記アプリケーション関連パラメータを調整するステップと、
を備える請求項１〜８のいずれか一項に記載の方法。
【請求項１０】
前記無線周波識別通信サブシステムの通信関連パラメータは、
搬送波感知周期（ＴLSB）と、
ダブルサイドバンド振幅偏移変調、シングルサイドバンド振幅偏移変調および位相反転振幅偏移変調を含む変調タイプと、
データ−０記号の基準時間間隔（Ｔari）と、
データ−１基号の相対基準時間間隔（ｘ）と、
ＲＦパルス幅（ＰＷ）と、
搬送波周波数と、
スロット計数パラメータ（Ｑ）と、
ＲＦエンベロープ上昇時間（Ｔr）と、
ＲＦエンベロープ下降時間（Ｔf）と、
整定時間（Ｔs）と、
無線周波識別コマンド伝送から無線周波識別トランスポンダ応答までの時間（Ｔ1）と、
無線周波識別トランスポンダ応答から無線周波識別コマンド伝送までの時間（Ｔ2）と、
無線周波識別トランスポンダ応答を見逃した時点での持ち時間を表わす時間（Ｔ3）と、
連続する無線周波識別コマンド伝送間の最小時間（Ｔ4）を含めたパラメータと、のうちの１つまたは複数のものを備える請求項９に記載の方法。
【請求項１１】
前記無線周波識別通信サブシステムのアプリケーション関連パラメータは、
センサアクセスの最大数と、
センサ読取り時間（Ｔread）と、
センサ書込み時間（Ｔwrite）と、
を含めたパラメータのうちの１つまたは複数のものを備える請求項９に記載の方法。
【請求項１２】
前記無線通信サブシステムが現在使用している周波数帯域を決定するステップを備え、
前記無線通信サブシステムの周波数帯域が前記無線周波識別通信サブシステムによって使用される周波数帯域に非常に近いことから干渉を予想される場合には、
干渉を予想する必要のない周波数帯域への前記無線通信サブシステムの周波数帯域ハンドオーバーを要求するステップと、
前記無線通信サブシステムおよび前記無線周波識別通信サブシステムの同時通信動作を有効化するステップと、
を備える請求項１〜１１のいずれか一項に記載の方法。
【請求項１３】
周波数帯域ハンドオーバーが、同じプロトコルを用いたもう１つの周波数帯域での前記無線通信サブシステムの動作を有効化する請求項１１に記載の方法。
【請求項１４】
周波数帯域ハンドオーバーがプロトコルハンドオーバーを備える請求項１１に記載の方法。
【請求項１５】
前記無線周波識別通信サブシステムのＲＦ信号電力レベルを低下させるステップと、
干渉レベルを決定するステップと、
前記干渉レベルが閾値未満である場合に、前記無線通信サブシステムおよび前記無線周波識別通信サブシステムの同時通信動作を有効化するステップと、
を備える請求項１〜１４のいずれか一項に記載の方法。
【請求項１６】
前記無線周波識別通信サブシステムは、超高周波数帯域、特に８６０ＭＨｚ〜９６０ＭＨｚの周波数範囲で動作可能である請求項１〜１５のいずれか一項に記載の方法。
【請求項１７】
前記無線通信サブシステムは、時分割多元接続ベースのセルラー無線通信サブシステムおよび符合分割多元接続ベースのセルラー通信サブシステムを含む群のうちの少なくとも１つと共に動作可能である請求項１〜１６のいずれか一項に記載の方法。
【請求項１８】
前記無線通信サブシステムは、ＧＳＭ（移動通信用グローバルシステム）セルラー通信サブシステム、ＧＳＭ／ＧＰＲＳ（移動通信用グローバルシステム／汎用パケット無線システム）セルラー通信サブシステム、ＧＳＭ／ＥＤＧＥ（移動通信用グローバルシステム／ｅｎｈａｎｃｅｄ  ｄａｔａ  ｒａｔｅｓ  ｆｏｒＧＳＭ  ｅｖｏｌｕｔｉｏｎ）セルラー通信サブシステム、ＷＣＤＭＡ（広帯域符合分割多元接続）ベースのセルラー通信サブシステムおよびｃｄｍａ２０００セルラー通信サブシステムを含む群のうちの少なくとも１つと共に動作可能である請求項１６に記載の方法。
【請求項１９】
プロセッサベースのデバイス、端末デバイス、ネットワークデバイス、携帯式端末、民生用電子デバイスまたは無線通信有効化端末上で動作している場合の、請求項１〜１３のいずれか一項に記載の動作を実施するための機械可読媒体上に記憶されたプログラムコードセクションを備えるコンピュータプログラムプロダクト。
【請求項２０】
無線通信サブシステムおよび無線周波識別通信サブシステム上での通信をスケジューリングするように配置されたスケジューリングモジュールであって、
前記スケジューリングモジュールは前記無線通信サブシステムおよび前記無線周波識別通信サブシステムと共に動作可能であり、
前記スケジューリングモジュールは、前記無線通信サブシステムの１つまたは複数の活動周期を決定し、決定された前記１つまたは複数の活動周期に基づいて１つまたは複数の非活動周期を導出するように配置され、
前記スケジューリングモジュールは、前記１つまたは複数の非活動周期と同期化され、
前記無線通信サブシステムおよび前記無線周波識別通信サブシステムの実質的に同時の通信動作を有効化するという目的で導出された前記１つまたは複数の非活動周期に従って前記無線周波識別通信サブシステムの動作をトリガーするべくトリガー信号が生成されるスケジューリングモジュール。
【請求項２１】
少なくともアイドル動作状態および能動動作状態で動作可能である前記無線通信サブシステムの動作状態を得るように配置され、
前記動作状態に応じて前記無線通信サブシステムの１つまたは複数の活動周期を決定するように設定される請求項２０に記載のスケジューリングモジュール。
【請求項２２】
前記無線通信サブシステムがアイドル動作状態で動作し、
前記スケジューリングモジュールは、ページング動作に関するタイミング情報および信号測定に関するタイミング情報を前記無線通信サブシステムから得るように配置されており、
前記スケジューリングモジュールは、得られた前記タイミング情報に基づいて周期長を含む活動周期を決定するように設定されている請求項２１に記載のスケジューリングモジュール。
【請求項２３】
無線通信サブシステムが能動動作状態で動作し、
時分割多元接続ベースの無線通信サブシステムの場合には、現在アップリンクおよび／またはダウンリンク通信および測定動作に割当てられているタイプスロットに従ってスロットタイミングについてのタイミング情報を得るように配置され、
符合分割多元接続ベースの無線通信サブシステムの場合には、非連続的通信モードに従って活動周期についてのタイミング情報を得るように配置される請求項２１に記載のスケジューリングモジュール。
【請求項２４】
前記無線周波識別通信サブシステムの立上り持続時間（△I）および／または立下り持続時間（△III）に従ってトリガー信号が生成される請求項２０〜２３のいずれか一項に記載の方法。
【請求項２５】
前記無線周波識別通信サブシステムの１つまたは複数の通信関連パラメータおよび／またはアプリケーション関連パラメータを得、かつ得られた前記通信関連パラメータおよび／またはアプリケーション関連パラメータに従って、前記無線周波識別通信サブシステムの動作に必要とされる通信周期を決定するように配置され、
導出された１つまたは複数の非活動周期に前記無線周波識別通信サブシステムの動作に必要とされる通信周期を適合させるべく、前記無線周波識別通信サブシステムの前記１つまたは複数の通信関連パラメータおよび／またはアプリケーション関連パラメータを調整するように設定されている請求項２０〜２４のいずれか一項に記載のスケジューリングモジュール。
【請求項２６】
前記無線周波識別通信サブシステムの通信関連パラメータが、
搬送波感知周期（ＴLSB）と、
ダブルサイドバンド振幅偏移変調、シングルサイドバンド振幅偏移変調および位相反転振幅偏移変調を含む変調タイプと、
データ−０記号の基準時間間隔（Ｔari）と、
データ−１基号の相対基準時間間隔（ｘ）と、
ＲＦパルス幅（ＰＷ）と、
搬送波周波数と、
スロット計数パラメータ（Ｑ）と、
ＲＦエンベロープ上昇時間（Ｔr）と、
ＲＦエンベロープ下降時間（Ｔf）と、
整定時間（Ｔs）と、
無線周波識別コマンド伝送から無線周波識別トランスポンダ応答までの時間（Ｔ1）と、
無線周波識別トランスポンダ応答から無線周波識別コマンド伝送までの時間（Ｔ2）と、
無線周波識別トランスポンダ応答を見逃した時点での持ち時間を表わす時間（Ｔ3）と、
連続する無線周波識別コマンド伝送間の最小時間（Ｔ4）と、
を含むパラメータのうちの１つまたは複数のものを備える請求項２５に記載のスケジューリングモジュール。
【請求項２７】
前記無線周波識別通信サブシステムのアプリケーション関連パラメータが、
センサアクセスの最大数と、
センサ読取り時間（Ｔread）と、
センサ書込み時間（Ｔwrite）と、
を含むパラメータのうちの１つまたは複数のものを備える請求項２５に記載のスケジューリングモジュール。
【請求項２８】
前記スケジューリングモジュールは、前記無線通信サブシステムが現在使用している周波数帯域を決定するように配置されており、
前記無線通信サブシステムの周波数帯域が前記無線周波識別通信サブシステムによって使用される周波数帯域に非常に近いことから干渉を予想せざるを得ない場合に、前記スケジューリングモジュールは干渉を予想する必要のない周波数帯域への無線通信サブシステムの周波数帯域ハンドオーバーを要求するように設定されており、
前記無線通信サブシステムおよび前記無線周波識別通信サブシステムの同時通信動作を周波数帯域ハンドオーバーが有効化する請求項２０〜２６のいずれか一項に記載のスケジューリングモジュール。
【請求項２９】
前記スケジューリングモジュールは、前記無線周波識別通信サブシステムのＲＦ信号電力レベルを低下させ、かつ干渉レベルを決定し、かくして前記干渉レベルが閾値未満である場合に、前記無線通信サブシステムおよび前記無線周波識別通信サブシステムの同時通信動作が有効化されるように設定されている請求項２０〜２８のいずれか一項に記載のスケジューリングモジュール。
【請求項３０】
その無線通信サブシステムおよび無線周波識別通信サブシステム上でのスケジューリングされた通信のために有効化される端末デバイスであって、
前記無線通信サブシステムおよび前記無線周波識別通信サブシステムと共に動作可能なスケジューリングモジュールを備える端末デバイスにおいて、
前記スケジューリングモジュールは、前記無線通信サブシステムの１つまたは複数の活動周期を決定し、決定された前記１つまたは複数の活動周期に基づいて１つまたは複数の非活動周期を導出するように配置され、
前記スケジューリングモジュールは、前記１つまたは複数の非活動周期と同期化され、
前記無線通信サブシステムおよび前記無線周波識別通信サブシステムの実質的に同時の通信動作を有効化するべく導出された前記１つまたは複数の非活動周期に従って前記無線周波識別通信サブシステムの動作をトリガーするべく前記スケジューリングモジュールによってトリガー信号が生成される、
端末デバイス。
【請求項３１】
前記スケジューリングモジュールは請求項２０〜２９に記載のスケジューリングモジュールである請求項３０に記載の端末デバイス。
【請求項３２】
前記無線通信サブシステムおよび前記無線周波識別通信サブシステムは共通のアンテナで動作可能であり、前記共通のアンテナの高周波数特性は前記無線通信サブシステムおよび前記無線周波識別通信サブシステムの動作周波数に適合されている請求項３０または３１に記載の端末デバイス。
【請求項３３】
前記端末デバイスにおいて実行可能なアプリケーションからの信号伝達の時点でおよび／またはユーザ入力端に由来する入力信号の受信時点で、前記トリガー信号が生成される請求項３０〜３２のいずれか一項に記載の端末デバイス。
【請求項３４】
多重周波数帯域および／または多重システムセルラー通信の能力をもつセルラー端末デバイスである請求項３０〜３３のいずれか一項に記載の端末デバイス。
【請求項３５】
前記無線通信サブシステムは、時分割多元接続ベースのセルラー無線通信サブシステムおよび符合分割多元接続ベースのセルラー通信サブシステムを含む群のうちの少なくとも１つと共に動作可能である請求項３４に記載の端末デバイス。
【請求項３６】
前記無線通信サブシステムは、ＧＳＭ（移動通信用グローバルシステム）セルラー通信サブシステム、ＧＳＭ／ＧＰＲＳ（移動通信用グローバルシステム／汎用パケット無線システム）セルラー通信サブシステム、ＧＳＭ／ＥＤＧＥ（移動通信用グローバルシステム／ｅｎｈａｎｃｅｄ  ｄａｔａ  ｒａｔｅｓ  ｆｏｒＧＳＭ  ｅｖｏｌｕｔｉｏｎ）セルラー通信サブシステム、ＷＣＤＭＡ（広帯域符合分割多元接続）ベースのセルラー通信サブシステム、ＵＭＴＳ（ユニバーサルモバイルテレコミュニケーションズシステム）セルラー通信サブシステムおよびｃｄｍａ２０００セルラー通信サブシステムを含む群のうちの少なくとも１つと共に動作可能である請求項３５に記載の端末デバイス。
【請求項３７】
前記無線通信サブシステムは無線ネットワークインタフェースサブシステムであり、前記無線ネットワークインタフェースサブシステムは、ＩＥＥＥ８０２．ｘｘ無線ネットワーク通信技術、ブルートゥース無線通信技術および超広帯域無線ネットワーク通信技術を含む群のうちの少なくとも１つと共に動作可能である請求項３０〜３６のいずれか一項に記載の端末デバイス。
【請求項３８】
セルラー通信サブシステムおよび無線周波識別通信サブシステム上でのスケジューリングされた通信を有効化するシステムであって、
前記セルラー通信サブシステムおよび前記無線周波識別通信サブシステムと共に動作可能であるスケジューリングモジュールを備えるシステムにおいて、
前記スケジューリングモジュールは、前記セルラー通信サブシステムの１つまたは複数の活動周期を決定し、決定された前記１つまたは複数の活動周期に基づいて１つまたは複数の非活動周期を導出するように配置され、
前記スケジューリングモジュールは、前記１つまたは複数の非活動周期と同期化され、
前記セルラー通信サブシステムおよび前記無線周波識別通信サブシステムの実質的に同時の通信動作を有効化する目的で導出された前記１つまたは複数の非活動周期に従って前記無線周波識別通信サブシステムの動作をトリガーするべくトリガー信号が前記スケジューリングモジュールによって生成される、
システム。
【請求項３９】
前記スケジューリングモジュールは請求項２０〜２９に記載のスケジューリングモジュールである請求項３８に記載のシステム。
【請求項４０】
端末デバイスが請求項３０〜３７に記載の端末デバイスである、請求項３８または３９に記載のシステム。
【請求項４１】
前記無線通信サブシステムおよび前記無線周波識別通信サブシステムは共通のアンテナで動作可能であり、前記共通のアンテナの高周波数特性は前記無線通信サブシステムおよび前記無線周波識別通信サブシステムの動作周波数に適合されている請求項３８〜４０のいずれか一項に記載のシステム。
【請求項４２】
前記無線周波識別通信サブシステムは少なくとも超高周波数帯域、特に８６０ＭＨｚ〜９６０ＭＨｚの周波数範囲で動作可能である請求項３８〜４１のいずれか一項に記載のシステム。
【請求項４３】
前記無線周波識別通信サブシステムはＥＰＣ国際基準で動作可能である請求項４２に記載のシステム。
【請求項４４】
前記無線周波識別通信サブシステムはＩＳＭ周波数帯域、特に２．４ＧＨｚのＩＳＭ周波数帯域で動作可能である請求項３８〜４３のいずれか一項に記載のシステム。
【国際調査報告】
2009510870.tif 000024
2009510870.tif 000025
2009510870.tif 000026